(57)【要約】      （修正有）【課題】軟判定指向形チャネル推定を伴うデコーディングの方法を提供する。【解決手段】ワイヤレスチャネルを通して送信された、パイロット信号、および、少なくとも１つのデータストリームを受信する１０１０ことと、受信されたパイロット信号を使用して、ワイヤレスチャネルの初期推定を計算する１０２０ことと、計算されたワイヤレスチャネルの初期推定を使用して、受信されたデータストリームを、デマップ、デ・レートマッチング、および、デコードして、データストリームの送信されたビットの１組の対数尤度比（ＬＬＲ）を計算する１０３０ことと、計算された１組のＬＬＲ、および、計算されたワイヤレスチャネルの初期推定を使用して、ワイヤレスチャネルの推定を更新する１０４０ことと、更新されたワイヤレスチャネルの推定を使用して、受信されたデータストリームを、デマップ、デ・レートマッチング、および、デコードする１０５０こととを含む。【選択図】図１０
2014140187.tif 000002
【特許請求の範囲】
【請求項１】
ワイヤレス通信のための方法において、
少なくとも１つのデータストリームを受信することと、
前記受信されたデータストリームを、反復的な方法でデマップおよびデコードして、前記受信されたデータストリームのビットの事後の対数尤度比（ＬＬＲ）デマップすることと、
前記デコーディングが、前記反復的な方法で、規定された回数だけ実行された場合、前記計算された事後のＬＬＲを記憶させることと、
再送信された前記データストリームを受信することと、
前記記憶された１組のＬＬＲを使用して、前記受信された再送信データストリームを、前記反復的な方法でデマップおよびデコードすることとを含む方法。
【請求項２】
前記受信されたデータストリームを、デマップおよびデコードすることは、
前記受信されたデータストリームのデマッピングの結果として、前記受信されたデータストリームのビットの付帯的ＬＬＲを計算することと、
前記受信されたデータストリームのデマッピングが、前記反復的な方法で、規定された回数だけ実行された場合、前記計算された付帯的ＬＬＲをデ・レートマッチングおよび記憶させることとを含む、請求項１記載の方法。
【請求項３】
前記受信された再送信データストリームを、デマップおよびデコードすることは、
前記受信された再送信ストリームのデマッピングの結果として、前記再送信データストリームのビットの第１の組の付帯的ＬＬＲを計算することと、
前記計算された第１の組の付帯的ＬＬＲをデ・レートマッチングすることと、
前記デ・レートマッチングされた第１の組の付帯的ＬＬＲ、および、前記記憶された付帯的ＬＬＲを結合させて、前記再送信データストリームのデコーディングに対する、入力ＬＬＲを発生させることとを含む、請求項２記載の方法。
【請求項４】
前記受信された再送信データストリームをデマップおよびデコードすることは、
前記発生された入力ＬＬＲを使用して、前記受信された再送信ストリームをデコードして、前記再送信データストリームのビットの第２の組の付帯的ＬＬＲを取得することと、
前記第２の組の付帯的ＬＬＲ、および、前記記憶された事後のＬＬＲを結合して、結合されたＬＬＲを取得し、前記事後のＬＬＲは、前記受信されたデータストリームのデコーディングの結果として計算されることと、
前記結合されたＬＬＲをレートマッチングすることによって、前記再送信データストリームのビットの事前の尤度（ＡＰＰ）ＬＬＲを取得することと、
前記再送信データストリームのデマッピングに対して、前記ＡＰＰ ＬＬＲを使用することとをさらに含む、請求項３記載の方法。
【請求項５】
前記記憶された事後のＬＬＲをレートマッチングし、前記事後のＬＬＲは、前記受信されたデータストリームのデコーディングの結果として計算されることと、
前記受信された再送信データストリームのデマッピングおよびデコーディングの間の最初の反復の間にわたって、前記再送信データストリームのデマッピングに対する、前記再送信データストリームのビットの事前の尤度（ＡＰＰ）ＬＬＲとして、前記レートマッチングされたＬＬＲを使用することとをさらに含む、請求項１記載の方法。
【請求項６】
前記受信された再送信データストリームをデマップおよびデコードすることは、
前記受信されたデータストリームのデマッピングの結果として、前記再送信データストリームのビットの第１の組の付帯的ＬＬＲを計算することと、
前記記憶された事後のＬＬＲ、および、前記第１の組の付帯的ＬＬＲのデ・レートマッチングされたバージョンを結合して、前記受信された再送信データストリームのデコーディングに対する、入力ＬＬＲを発生させ、前記事後のＬＬＲは、前記受信されたデータストリームのデコーディングの結果として計算されることと、
前記発生された入力ＬＬＲを使用して、前記受信された再送信データストリームをデコードして、前記再送信データストリームのビットの第２の組の付帯的ＬＬＲを取得することと、
前記第２の組の付帯的ＬＬＲ、および、前記記憶された事後のＬＬＲを結合して、結合されたＬＬＲを取得することと、
前記結合されたＬＬＲをレートマッチングすることによって、前記再送信データストリームのビットの事前の尤度（ＡＰＰ）ＬＬＲを計算することと、
前記受信された再送信データストリームのデマッピングに対して、前記計算されたＡＰＰ ＬＬＲを使用することとを含む、請求項１記載の方法。
【請求項７】
前記記憶された事後のＬＬＲは、前記受信されたデータストリームのシステマティック部分に関係する、システマティックＬＬＲだけを含む、請求項６記載の方法。
【請求項８】
ワイヤレス通信のための装置において、
少なくとも１つのデータストリームを受信するように構成されている受信機と、
前記受信されたデータストリームを、反復的な方法でデマップおよびデコードして、前記受信されたデータストリームのビットの事後の対数尤度比（ＬＬＲ）を計算するように構成されているデマッパーおよびデコーダと、
前記デコーディングが、前記反復的な方法で、規定された回数だけ実行された場合、前記計算された事後のＬＬＲを記憶させるように構成されているバッファとを備え、
前記受信機はまた、再送信された前記データストリームを受信するように構成されており、
前記デマッパーおよび前記デコーダはまた、前記記憶された１組のＬＬＲを使用して、前記受信された再送信データストリームを、前記反復的な方法でデマップおよびデコードするように構成されている装置。
【請求項９】
前記受信されたデータストリームを、デマップおよびデコードするように構成されている前記デマッパーおよび前記デコーダは、
前記受信されたデータストリームのデマッピングの結果として、前記受信されたデータストリームのビットの付帯的ＬＬＲを計算するように構成されているコンピュータと、
前記受信されたデータストリームのデマッピングが、前記反復的な方法で、規定された回数だけ実行された場合、前記計算された付帯的ＬＬＲをデ・レートマッチングおよび記憶させるように構成されている回路とを備える、請求項８記載の装置。
【請求項１０】
前記受信された再送信データストリームを、デマップおよびデコードするように構成されている前記デマッパーおよび前記デコーダは、
前記受信された再送信データストリームのデマッピングの結果として、前記再送信データストリームのビットの第１の組の付帯的ＬＬＲを計算するように構成されているプロセッサと、
前記計算された第１の組の付帯的ＬＬＲをデ・レートマッチングするように構成されているデ・レートマッチング回路と、
前記デ・レートマッチングされた第１の組の付帯的ＬＬＲ、および、前記記憶された付帯的ＬＬＲを結合させて、前記再送信データストリームのデコーディングに対する、入力ＬＬＲを発生させるように構成されている結合器とを備える、請求項９記載の装置。
【請求項１１】
前記受信された再送信データストリームをデマップおよびデコードするように構成されている前記デマッパーおよび前記デコーダは、
前記発生された入力ＬＬＲを使用して、前記受信された再送信データストリームをデコードして、前記再送信データストリームのビットの第２の組の付帯的ＬＬＲを取得するように構成されているデコーダと、
前記第２の組の付帯的ＬＬＲ、および、前記記憶された事後のＬＬＲを結合して、結合されたＬＬＲを取得するように構成されている、別の結合器と、
前記結合されたＬＬＲをレートマッチングすることによって、前記再送信データストリームのビットの事前の尤度（ＡＰＰ）ＬＬＲを取得するように構成されているレートマッチング回路と、をさらに備え、
前記事後のＬＬＲは、前記受信されたデータストリームのデコーディングの結果として計算され、
前記デマッパーはまた、前記再送信データストリームのデマッピングに対して、前記ＡＰＰ ＬＬＲを使用するように構成されている、請求項１０記載の装置。
【請求項１２】
前記記憶された事後のＬＬＲをレートマッチングするように構成されているレートマッチング回路をさらに具備し、
前記事後のＬＬＲは、前記受信されたデータストリームのデコーディングの結果として計算され、
前記デマッパーはまた、前記受信された再送信データストリームのデマッピングおよびデコーディングの間の最初の反復の間にわたって、前記再送信データストリームのデマッピングに対する、前記再送信データストリームのビットの事前の尤度（ＡＰＰ）ＬＬＲとして、前記レートマッチングされたＬＬＲを使用するように構成されている、請求項８記載の装置。
【請求項１３】
前記受信された再送信データストリームをデマップおよびデコードするように構成されている前記デマッパーおよび前記デコーダは、
前記受信された再送信データストリームのデマッピングの結果として、前記再送信データストリームのビットの第１の組の付帯的ＬＬＲを計算するように構成されているコンピュータと、
前記記憶された事後のＬＬＲ、および、前記第１の組の付帯的ＬＬＲのデ・レートマッチングされたバージョンを結合して、前記受信された再送信データストリームのデコーディングに対する、入力ＬＬＲを発生させるように構成されている結合器と、
前記発生された入力ＬＬＲを使用して、前記受信された再送信データストリームをデコードして、前記再送信データストリームのビットの第２の組の付帯的ＬＬＲを取得するように構成されているデコーダと、
前記第２の組の付帯的ＬＬＲ、および、前記記憶された事後のＬＬＲを結合して、結合されたＬＬＲを取得するように構成されている別の結合器と、
前記結合されたＬＬＲをレートマッチングすることによって、前記再送信データストリームのビットの事前の尤度（ＡＰＰ）ＬＬＲを計算するように構成されているレートマッチング回路と、を備え、
前記事後のＬＬＲは、前記受信されたデータストリームのデコーディングの結果として計算され、
前記デマッパーはまた、前記受信された再送信データストリームのデマッピングに対して、前記計算されたＡＰＰ ＬＬＲを使用するように構成されている、請求項８記載の装置。
【請求項１４】
前記記憶された事後のＬＬＲは、前記受信されたデータストリームのシステマティック部分に関係する、システマティックＬＬＲだけを含む、請求項１３記載の装置。
【請求項１５】
ワイヤレス通信のための装置において、
少なくとも１つのデータストリームを受信する手段と、
前記受信されたデータストリームを、反復的な方法でデマップおよびデコードして、前記受信されたデータストリームのビットの事後の対数尤度比（ＬＬＲ）を計算する手段と、
前記デコーディングが、前記反復的な方法で、規定された回数だけ実行された場合、前記計算された事後のＬＬＲを記憶させる手段と、
再送信された前記データストリームを受信する手段と、
前記記憶された１組のＬＬＲを使用して、前記受信された再送信データストリームを、前記反復的な方法でデマップおよびデコードする手段とを具備する装置。
【請求項１６】
前記受信されたデータストリームを、デマップおよびデコードする手段は、
前記受信されたデータストリームのデマッピングの結果として、前記受信されたデータストリームのビットの付帯的ＬＬＲを計算する手段と、
前記受信されたデータストリームのデマッピングが、前記反復的な方法で、規定された回数だけ実行された場合、前記計算された付帯的ＬＬＲをデ・レートマッチングおよび記憶させる手段とを備える、請求項１５記載の装置。
【請求項１７】
前記受信された再送信データストリームを、デマップおよびデコードする手段は、
前記受信された再送信データストリームのデマッピングの結果として、前記再送信データストリームのビットの第１の組の付帯的ＬＬＲを計算する手段と、
前記計算された第１の組の付帯的ＬＬＲをデ・レートマッチングする手段と、
前記デ・レートマッチングされた第１の組の付帯的ＬＬＲ、および、前記記憶された付帯的ＬＬＲを結合させて、前記再送信データストリームのデコーディングに対する、入力ＬＬＲを発生させる手段とを備える、請求項１６記載の装置。
【請求項１８】
前記受信された再送信データストリームをデマップおよびデコードする手段は、
前記発生された入力ＬＬＲを使用して、前記受信された再送信データストリームをデコードして、前記再送信データストリームのビットの第２の組の付帯的ＬＬＲを取得する手段と、
前記第２の組の付帯的ＬＬＲ、および、前記記憶された事後のＬＬＲを結合して、結合されたＬＬＲを取得する手段と、
前記結合されたＬＬＲをレートマッチングすることによって、前記再送信データストリームのビットの事前の尤度（ＡＰＰ）ＬＬＲを取得する手段と、
前記再送信データストリームのデマッピングに対して、前記ＡＰＰ ＬＬＲを使用する手段とをさらに備え、
前記事後のＬＬＲは、前記受信されたデータストリームのデコーディングの結果として計算される、請求項１７記載の装置。
【請求項１９】
前記記憶された事後のＬＬＲをレートマッチングする手段と、
前記受信された再送信データストリームのデマッピングおよびデコーディングの間の最初の反復の間にわたって、前記再送信データストリームのデマッピングに対する、前記再送信データストリームのビットの事前の尤度（ＡＰＰ）ＬＬＲとして、前記レートマッチングされたＬＬＲを使用する手段とをさらに具備し、
前記事後のＬＬＲは、前記受信されたデータストリームのデコーディングの結果として計算される、請求項１５記載の装置。
【請求項２０】
前記受信された再送信データストリームをデマップおよびデコードする手段は、
前記受信された再送信データストリームのデマッピングの結果として、前記再送信データストリームのビットの第１の組の付帯的ＬＬＲを計算する手段と、
前記記憶された事後のＬＬＲ、および、前記第１の組の付帯的ＬＬＲのデ・レートマッチングされたバージョンを結合して、前記受信された再送信データストリームのデコーディングに対する、入力ＬＬＲを発生させる手段と、
前記発生された入力ＬＬＲを使用して、前記受信された再送信データストリームをデコードして、前記再送信データストリームのビットの第２の組の付帯的ＬＬＲを取得する手段と、
前記第２の組の付帯的ＬＬＲ、および、前記記憶された事後のＬＬＲを結合して、結合されたＬＬＲを取得する手段と、
前記結合されたＬＬＲをレートマッチングすることによって、前記再送信データストリームのビットの事前の尤度（ＡＰＰ）ＬＬＲを計算する手段と、
前記受信された再送信データストリームのデマッピングに対して、前記計算されたＡＰＰ ＬＬＲを使用する手段とを備え、
前記事後のＬＬＲは、前記受信されたデータストリームのデコーディングの結果として計算される、請求項１５記載の装置。
【請求項２１】
前記記憶された事後のＬＬＲは、前記受信されたデータストリームのシステマティック部分に関係する、システマティックＬＬＲだけを含む、請求項２０記載の装置。
【請求項２２】
コンピュータ読取可能媒体を備えるワイヤレス通信のためのコンピュータプログラム製品において、
前記コンピュータ読取可能媒体は、命令を含み、
前記命令は、
少なくとも１つのデータストリームを受信させ、
前記受信されたデータストリームを、反復的な方法でデマップおよびデコードさせて、前記受信されたデータストリームのビットの事後の対数尤度比（ＬＬＲ）を計算させ、
前記デコーディングが、前記反復的な方法で、規定された回数だけ実行された場合、前記計算された事後のＬＬＲを記憶させ、
再送信された前記データストリームを受信させ、
前記記憶された１組のＬＬＲを使用して、前記受信された再送信データストリームを、前記反復的な方法でデマップおよびデコードさせるように実行可能である、コンピュータプログラム製品。
【請求項２３】
ワイヤレスノードにおいて、
少なくとも１つのアンテナと、
前記少なくとも１つのアンテナを介して、少なくとも１つのデータストリームを受信するように構成されている受信機と、
前記受信されたデータストリームを、反復的な方法でデマップおよびデコードして、前記受信されたデータストリームのビットの事後の対数尤度比（ＬＬＲ）を計算するように構成されているデマッパーおよびデコーダと、
前記デコーディングが、前記反復的な方法で、規定された回数だけ実行された場合、前記計算された事後のＬＬＲを記憶させるように構成されているバッファとを具備し、
前記受信機はまた、再送信された前記データストリームを受信するように構成されており、
前記デマッパーおよび前記デコーダはまた、前記記憶された１組のＬＬＲを使用して、前記受信された再送信データストリームを、前記反復的な方法でデマップおよびデコードするように構成されているワイヤレスノード。
【請求項２４】
ワイヤレス通信のための方法において、
ワイヤレスチャネルを通して送信された、パイロット信号、および、少なくとも１つのデータストリームを受信することと、
前記受信されたパイロット信号を使用して、前記ワイヤレスチャネルの初期推定を計算することと、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算することと、
前記計算された１組のＬＬＲ、および、前記計算されたワイヤレスチャネルの初期推定を使用して、前記ワイヤレスチャネルの推定を更新することと、
前記更新されたワイヤレスチャネルの推定を使用して、前記受信されたデータストリームを、デマップ、デ・レートマッチング、および、デコードすることとを含む方法。
【請求項２５】
前記計算された１組のＬＬＲは、前記デコーディングの結果として発生された付帯的ＬＬＲを含む、請求項２４記載の方法。
【請求項２６】
前記付帯的ＬＬＲをレートマッチングして、前記計算された１組のＬＬＲを取得することをさらに含む、請求項２５記載の方法。
【請求項２７】
前記ワイヤレスチャネルの推定を更新することは、
前記計算された１組のＬＬＲを使用して、前記受信されたデータストリームに関係するハードシンボルを取得することと、
前記計算された１組のＬＬＲを使用して、前記受信されたデータストリームに関係するソフトシンボルを取得することと、
前記取得されたハードシンボル、および、前記取得されたソフトシンボルの統計を使用して、前記ワイヤレスチャネルの推定を計算することとを含む、請求項２４記載の方法。
【請求項２８】
前記ワイヤレスチャネルの推定は、アフィン軟判定指向形チャネル推定アルゴリズムにしたがって更新される、請求項２４記載の方法。
【請求項２９】
前記ワイヤレスチャネルの推定は、線形軟判定指向形チャネル推定アルゴリズムにしたがって更新される、請求項２４記載の方法。
【請求項３０】
ワイヤレス通信のための装置において、
ワイヤレスチャネルを通して送信された、パイロット信号、および、少なくとも１つのデータストリームを受信するように構成されている受信機と、
前記受信されたパイロット信号を使用して、前記ワイヤレスチャネルの初期推定を計算するように構成されている推定器と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算するように構成されている、デマッパー、デ・レートマッチング回路、および、デコーダとを具備し、
前記推定器はまた、前記計算された１組のＬＬＲ、および、前記計算されたワイヤレスチャネルの初期推定を使用して、前記ワイヤレスチャネルの推定を更新するように構成されており、
前記デマッパー、前記デ・レートマッチング回路、および、前記デコーダはまた、前記更新されたワイヤレスチャネルの推定を使用して、前記受信されたデータストリームを、デマップ、デ・レートマッチング、および、デコードするように構成されている装置。
【請求項３１】
前記計算された１組のＬＬＲは、前記デコーディングの結果として発生された付帯的ＬＬＲを含む、請求項３０記載の装置。
【請求項３２】
前記付帯的ＬＬＲをレートマッチングして、前記計算された１組のＬＬＲを取得するように構成されているレートマッチング回路をさらに具備する、請求項３１記載の装置。
【請求項３３】
前記ワイヤレスチャネルの推定を更新するように構成されている推定器は、
前記計算された１組のＬＬＲを使用して、前記受信されたデータストリームに関係するハードシンボルを取得するように構成されているプロセッサと、
前記計算された１組のＬＬＲを使用して、前記受信されたデータストリームに関係するソフトシンボルを取得するように構成されている別のプロセッサと、
前記取得されたハードシンボル、および、前記取得されたソフトシンボルの統計を使用して、前記ワイヤレスチャネルの推定を計算するように構成されているコンピュータとを備える、請求項３０記載の装置。
【請求項３４】
前記ワイヤレスチャネルの推定は、アフィン軟判定指向形チャネル推定アルゴリズムにしたがって更新される、請求項３０記載の装置。
【請求項３５】
前記ワイヤレスチャネルの推定は、線形軟判定指向形チャネル推定アルゴリズムにしたがって更新される、請求項３０記載の装置。
【請求項３６】
ワイヤレス通信のための装置において、
ワイヤレスチャネルを通して送信された、パイロット信号、および、少なくとも１つのデータストリームを受信する手段と、
前記受信されたパイロット信号を使用して、前記ワイヤレスチャネルの初期推定を計算する手段と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算する手段と、
前記計算された１組のＬＬＲ、および、前記計算されたワイヤレスチャネルの初期推定を使用して、前記ワイヤレスチャネルの推定を更新する手段と、
前記更新されたワイヤレスチャネルの推定を使用して、前記受信されたデータストリームを、デマップ、デ・レートマッチング、および、デコードする手段とを具備する装置。
【請求項３７】
前記計算された１組のＬＬＲは、前記デコーディングの結果として発生された付帯的ＬＬＲを含む、請求項３６記載の装置。
【請求項３８】
前記付帯的ＬＬＲをレートマッチングして、前記計算された１組のＬＬＲを取得する手段をさらに含む、請求項３７記載の装置。
【請求項３９】
前記ワイヤレスチャネルの推定を更新する手段は、
前記計算された１組のＬＬＲを使用して、前記受信されたデータストリームに関係するハードシンボルを取得する手段と、
前記計算された１組のＬＬＲを使用して、前記受信されたデータストリームに関係するソフトシンボルを取得する手段と、
前記取得されたハードシンボル、および、前記取得されたソフトシンボルの統計を使用して、前記ワイヤレスチャネルの推定を計算する手段とを備える、請求項３６記載の装置。
【請求項４０】
前記ワイヤレスチャネルの推定は、アフィン軟判定指向形チャネル推定アルゴリズムにしたがって更新される、請求項３６記載の装置。
【請求項４１】
前記ワイヤレスチャネルの推定は、線形軟判定指向形チャネル推定アルゴリズムにしたがって更新される、請求項３６記載の装置。
【請求項４２】
コンピュータ読取可能媒体を備えるワイヤレス通信のためのコンピュータプログラム製品において、
前記コンピュータ読取可能媒体は、命令を含み、
前記命令は、
ワイヤレスチャネルを通して送信された、パイロット信号、および、少なくとも１つのデータストリームを受信させ、
前記受信されたパイロット信号を使用して、前記ワイヤレスチャネルの初期推定を計算させ、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算させ、
前記計算された１組のＬＬＲ、および、前記計算されたワイヤレスチャネルの初期推定を使用して、前記ワイヤレスチャネルの推定を更新することと、
前記更新されたワイヤレスチャネルの推定を使用して、前記受信されたデータストリームを、デマップ、デ・レートマッチング、および、デコードさせるように実行可能である、コンピュータプログラム製品。
【請求項４３】
ワイヤレスノードにおいて、
少なくとも１つのアンテナと、
前記少なくとも１つのアンテナを介して、ワイヤレスチャネルを通して送信された、パイロット信号、および、少なくとも１つのデータストリームを受信するように構成されている受信機と、
前記受信されたパイロット信号を使用して、前記ワイヤレスチャネルの初期推定を計算するように構成されている推定器と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算するように構成されている、デマッパー、デ・レートマッチング回路、および、デコーダとを具備し、
前記推定器はまた、前記計算された１組のＬＬＲ、および、前記計算されたワイヤレスチャネルの初期推定を使用して、前記ワイヤレスチャネルの推定を更新するように構成されており、
前記デマッパー、デ・レートマッチング回路、および、デコーダはまた、前記更新されたワイヤレスチャネルの推定を使用して、前記受信されたデータストリームを、デマップ、デ・レートマッチング、および、デコードするように構成されているワイヤレスノード。
【発明の詳細な説明】
【優先権の主張】
【０００１】
本出願は、２００９年９月２日に出願され、「ジョイントＬＬＲ抽出および事前の尤度を使用する、統一反復デコーディングアーキテクチャ」と題された、共に特許出願中の米国特許出願シリアル番号第１２／５５２，６７３号の一部継続であり、これは、本出願の譲受人に譲渡され、ここで明示的に参照により組み込まれている。
【分野】
【０００２】
本開示の特定の観点は、ワイヤレス通信に関連し、より詳細には、再送信を伴う反復デコーディングと、軟判定指向形チャネル推定を伴う反復デコーディングとに関連する。
【背景】
【０００３】
反復復調デコーディング構造を、ワイヤレス受信機側において採用して、エラーレート性能を向上させてもよい。一般的に、知られているパイロット信号に基づいて、受信機処理のために利用されるチャネル推定を取得することが可能であり、実際のデータは使用されない。したがって、送信されたデータに関係する利用可能な信頼性情報を使用することにより、反復復調デコーディングアルゴリズムの間にチャネル推定を改良することによって、エラーレート性能のさらなる改善を達成できる。
【０００４】
これに対して、ハイブリッド自動繰返要求（ＨＡＲＱ）アプローチをワイヤレス通信システムにおいて適用して、そのサービス品質（ＱｏＳ）を改善してもよい。現在のＱｏＳレベルが規定されたしきい値を下回る場合に、データを再送信することによって、ＱｏＳ改善を達成することができる。反復復調デコーディング受信機構造に、ＨＡＲＱアプローチを効率的に結合させることを、本開示において提案する。
【概要】
【０００５】
ある観点は、ワイヤレス通信のための方法を提供する。方法は、一般的に、少なくとも１つのデータストリームを受信することと、受信されたデータストリームを、反復的な方法でデマップおよびデコードして、受信されたデータストリームのビットの事後の対数尤度比（ＬＬＲ）デマップすることと、デコーディングが、反復的な方法で、規定された回数だけ実行された場合、計算された事後のＬＬＲを記憶させることと、再送信されたデータストリームを受信することと、記憶された１組のＬＬＲを使用して、受信された再送信データストリームを、反復的な方法でデマップおよびデコードすることとを含む。
【０００６】
ある観点は、ワイヤレス通信のための装置を提供する。装置は、一般的に、少なくとも１つのデータストリームを受信するように構成されている受信機と、受信されたデータストリームを、反復的な方法でデマップおよびデコードして、受信されたデータストリームのビットの事後の対数尤度比（ＬＬＲ）を計算するように構成されているデマッパーおよびデコーダと、デコーディングが、反復的な方法で、規定された回数だけ実行された場合、計算された事後のＬＬＲを記憶させるように構成されているバッファとを備え、受信機はまた、再送信されたデータストリームを受信するように構成されており、デマッパーおよびデコーダはまた、記憶された１組のＬＬＲを使用して、受信された再送信データストリームを、反復的な方法でデマップおよびデコードするように構成されている。
【０００７】
ある観点は、ワイヤレス通信のための装置を提供する。装置は、一般的に、少なくとも１つのデータストリームを受信する手段と、受信されたデータストリームを、反復的な方法でデマップおよびデコードして、受信されたデータストリームのビットの事後の対数尤度比（ＬＬＲ）を計算する手段と、デコーディングが、反復的な方法で、規定された回数だけ実行された場合、計算された事後のＬＬＲを記憶させる手段と、再送信されたデータストリームを受信する手段と、記憶された１組のＬＬＲを使用して、受信された再送信データストリームを、反復的な方法でデマップおよびデコードする手段とを具備する。
【０００８】
ある観点は、ワイヤレス通信のためのコンピュータプログラム製品を提供する。コンピュータプログラム製品は、命令を含むコンピュータ読取可能媒体を備え、命令は、少なくとも１つのデータストリームを受信させ、受信されたデータストリームを、反復的な方法でデマップおよびデコードさせて、受信されたデータストリームのビットの事後の対数尤度比（ＬＬＲ）を計算させ、デコーディングが、反復的な方法で、規定された回数だけ実行された場合、計算された事後のＬＬＲを記憶させ、再送信されたデータストリームを受信させ、記憶された１組のＬＬＲを使用して、受信された再送信データストリームを、反復的な方法でデマップおよびデコードさせるように実行可能である。
【０００９】
ある観点は、ワイヤレスノードを提供する。ワイヤレスノードは、一般的に、少なくとも１つのアンテナと、少なくとも１つのアンテナを介して、少なくとも１つのデータストリームを受信するように構成されている受信機と、受信されたデータストリームを、反復的な方法でデマップおよびデコードして、受信されたデータストリームのビットの事後の対数尤度比（ＬＬＲ）を計算するように構成されているデマッパーおよびデコーダと、デコーディングが、反復的な方法で、規定された回数だけ実行された場合、計算された事後のＬＬＲを記憶させるように構成されているバッファとを具備し、受信機はまた、再送信されたデータストリームを受信するように構成されており、デマッパーおよびデコーダはまた、記憶された１組のＬＬＲを使用して、受信された再送信データストリームを、反復的な方法でデマップおよびデコードするように構成されている。
【００１０】
ある観点は、ワイヤレス通信のための方法を提供する。方法は、一般的に、ワイヤレスチャネルを通して送信された、パイロット信号、および、少なくとも１つのデータストリームを受信することと、受信されたパイロット信号を使用して、ワイヤレスチャネルの初期推定を計算することと、計算されたワイヤレスチャネルの初期推定を使用して、受信されたデータストリームを、デマップ、デ・レートマッチング、および、デコードして、データストリームの送信されたビットの１組の対数尤度比（ＬＬＲ）を計算することと、計算された１組のＬＬＲ、および、計算されたワイヤレスチャネルの初期推定を使用して、ワイヤレスチャネルの推定を更新することと、更新されたワイヤレスチャネルの推定を使用して、受信されたデータストリームを、デマップ、デ・レートマッチング、および、デコードすることとを含む。
【００１１】
ある観点は、ワイヤレス通信のための装置を提供する。装置は、一般的に、ワイヤレスチャネルを通して送信された、パイロット信号、および、少なくとも１つのデータストリームを受信するように構成されている受信機と、受信されたパイロット信号を使用して、ワイヤレスチャネルの初期推定を計算するように構成されている推定器と、計算されたワイヤレスチャネルの初期推定を使用して、受信されたデータストリームを、デマップ、デ・レートマッチング、および、デコードして、データストリームの送信されたビットの１組の対数尤度比（ＬＬＲ）を計算するように構成されている、デマッパー、デ・レートマッチング回路、および、デコーダとを具備し、推定器はまた、計算された１組のＬＬＲ、および、計算されたワイヤレスチャネルの初期推定を使用して、ワイヤレスチャネルの推定を更新するように構成されており、デマッパー、デ・レートマッチング回路、および、デコーダはまた、更新されたワイヤレスチャネルの推定を使用して、受信されたデータストリームを、デマップ、デ・レートマッチング、および、デコードするように構成されている。
【００１２】
ある観点は、ワイヤレス通信のための装置を提供する。装置は、一般的に、ワイヤレスチャネルを通して送信された、パイロット信号、および、少なくとも１つのデータストリームを受信する手段と、受信されたパイロット信号を使用して、ワイヤレスチャネルの初期推定を計算する手段と、計算されたワイヤレスチャネルの初期推定を使用して、受信されたデータストリームを、デマップ、デ・レートマッチング、および、デコードして、データストリームの送信されたビットの１組の対数尤度比（ＬＬＲ）を計算する手段と、計算された１組のＬＬＲ、および、計算されたワイヤレスチャネルの初期推定を使用して、ワイヤレスチャネルの推定を更新する手段と、更新されたワイヤレスチャネルの推定を使用して、受信されたデータストリームを、デマップ、デ・レートマッチング、および、デコードする手段とを具備する。
【００１３】
ある観点は、ワイヤレス通信のためのコンピュータプログラム製品を提供する。コンピュータプログラム製品は、命令を含むコンピュータ読取可能媒体を備え、命令は、ワイヤレスチャネルを通して送信された、パイロット信号、および、少なくとも１つのデータストリームを受信させ、受信されたパイロット信号を使用して、ワイヤレスチャネルの初期推定を計算させ、計算されたワイヤレスチャネルの初期推定を使用して、受信されたデータストリームを、デマップ、デ・レートマッチング、および、デコードして、データストリームの送信されたビットの１組の対数尤度比（ＬＬＲ）を計算させ、計算された１組のＬＬＲ、および、計算されたワイヤレスチャネルの初期推定を使用して、ワイヤレスチャネルの推定を更新することと、更新されたワイヤレスチャネルの推定を使用して、受信されたデータストリームを、デマップ、デ・レートマッチング、および、デコードさせるように実行可能である。
【００１４】
ある観点は、ワイヤレスノードを提供する。ワイヤレスノードは、一般的に、少なくとも１つのアンテナと、少なくとも１つのアンテナを介して、ワイヤレスチャネルを通して送信された、パイロット信号、および、少なくとも１つのデータストリームを受信するように構成されている受信機と、受信されたパイロット信号を使用して、ワイヤレスチャネルの初期推定を計算するように構成されている推定器と、計算されたワイヤレスチャネルの初期推定を使用して、受信されたデータストリームを、デマップ、デ・レートマッチング、および、デコードして、データストリームの送信されたビットの１組の対数尤度比（ＬＬＲ）を計算するように構成されている、デマッパー、デ・レートマッチング回路、および、デコーダとを備え、推定器はまた、計算された１組のＬＬＲ、および、計算されたワイヤレスチャネルの初期推定を使用して、ワイヤレスチャネルの推定を更新するように構成されており、デマッパー、デ・レートマッチング回路、および、デコーダはまた、更新されたワイヤレスチャネルの推定を使用して、受信されたデータストリームを、デマップ、デ・レートマッチング、および、デコードするように構成されている。
【図面の簡単な説明】
【００１５】
上に簡単に要約した、本開示の上記の特徴が詳細に理解され得るような方法で、いくつかの観点に対する参照によって、より詳細な説明を行うこととし、これらの観点のいくつかのものを、添付の図面において図示する。しかしながら、添付の図面は、本開示の特定の典型的な観点だけを図示しており、したがって、その範囲を制限しているとして解釈すべきでなく、記述に対して、他の同等に効率的な観点を認めてもよい。  
【図１】図１は、本開示の特定の観点にしたがった、例示的なワイヤレス通信システムを図示する。
【図２】図２は、本開示の特定の観点にしたがった、ワイヤレスデバイスにおいて利用されてもよい、さまざまなコンポーネントを図示する。
【図３】図３は、本開示の特定の観点にしたがった、ワイヤレス通信システム内で使用されてもよい、例示的な送信機を図示する。
【図４】図４は、本開示の特定の観点にしたがった、ワイヤレス通信システム内で使用されてもよい、反復デコーディング構造を有する例示的な受信機を図示する。
【図５】図５は、本開示の特定の観点にしたがった、図４からの反復受信機の一部としての例示的な復調器のブロック図を図示する。
【図６】図６は、本開示の特定の観点にしたがった、ハイブリッド自動繰返要求（ＨＡＲＱ）結合を伴う、例示的な受信機を図示する。
【図７】図７は、本開示の特定の観点にしたがった、ＨＡＲＱ結合を伴う、反復デコーディングの例示的な動作を図示する。
【図７Ａ】図７Ａは、図７に図示した動作を実行することができる、例示的なコンポーネントを図示する。
【図８】図８は、本開示の特定の観点にしたがった、減少されたメモリ要求を有するＨＡＲＱ結合を伴う、例示的な反復受信機を図示する。
【図９】図９は、本開示の特定の観点にしたがった、軟判定指向形チャネル推定を伴う、例示的な反復受信機を図示する。
【図１０】図１０は、本開示の特定の観点にしたがった、軟判定指向形チャネル推定を伴う、反復デコーディングの例示的な動作を図示する。
【図１０Ａ】図１０Ａは、図１０に図示した動作を実行することができる、例示的なコンポーネントを図示する。
【詳細な説明】
【００１６】
本開示のさまざまな観点を、以下で、添付の図面を参照して、より完全に記述する。しかしながら、本開示は、数多くの異なる形態において実現されてもよく、本開示全体を通して提示される任意の特定の構造または機能に限定されるとして解釈すべきでない。むしろ、本開示が十分で完全なものとなるように、そして、当業者に対して本開示の範囲を完全に伝えることになるように、これらの観点を提供した。ここでの教示に基づいて、当業者は、本開示の範囲が、独立して実現されるか、または、開示の、他の任意の観点と結合して実現されるかのいずれかで、ここで開示される本開示の任意の観点をカバーすることを意図していることを理解するだろう。例えば、何らかの数のここで述べる観点を使用して、装置が実現されてもよく、または、方法が実行されてもよい。さらに、本開示の範囲は、他の構造、機能、または、構造を使用して、また、ここで述べる開示のさまざまな観点に加えて、または、これらのさまざまな観点以外の機能を使用して、実行されてもよい装置または方法をカバーすることを意図している。ここで開示する開示の任意の観点は、特許請求の範囲の１つ以上のエレメントによって実現されてもよいことを理解すべきである。
【００１７】
用語“例示的”は、例として、事例として、あるいは、例示として働くことを意味するために、ここで使用されている。ここで“例示的”として記述した任意の観点は、必ずしも他の観点より好ましい、または有利であるとして解釈すべきではない。
【００１８】
特定の観点をここで記述するが、これらの観点のさまざまな変種および変形が、本開示の範囲内に収まる。好ましい観点のいくつかの利益および利点に言及するが、本開示の範囲は、特定の利益、使用、または、対象物に限定されることを意図していない。むしろ、本開示の観点は、異なるワイヤレス技術、システム構成、ネットワーク、および、送信プロトコル、に広く適用可能であることを意図しており、これらのうちのいくつかのものを、図面において、および、以下の好ましい観点の記述において、例として図示した。詳細な記述および図面は、限定的なものというよりはむしろ、単に開示を図示するものであり、本開示の範囲は、添付の特許請求の範囲およびこれらの同等物によって規定される。
【００１９】
例示的なワイヤレス通信システム  
直交多重化スキームおよび、単一搬送波送信に基づいている通信システムを含む、さまざまなブロードバンドワイヤレス通信システムに対して、ここで記述する技術を使用してもよい。このような通信システムの例は、直交周波数分割多元接続（ＯＦＤＭＡ）システム、単一搬送波周波数分割多元接続（ＳＣ−ＦＤＭＡ）システム、コード分割多元接続（ＣＤＭＡ）等を含む。ＯＦＤＭＡシステムは、直交周波数分割多重化（ＯＦＤＭ）を利用し、これは、全体のシステム帯域幅を、複数の直交副搬送波へと分割する変調技術である。これらの副搬送波はまた、トーン、ビン、等としても呼ばれてもよい。ＯＦＤＭでは、各副搬送波は、データとともに、独立して変調されてもよい。ＳＣ−ＦＭＡシステムは、インターリーブされたＦＤＭＡ（ＩＦＤＭＡ）を利用して、システム帯域幅全体を通して配信される副搬送波上で送信してもよく、ローカライズされたＦＤＭＡ（ＬＦＤＭＡ）を利用して、隣接副搬送波のブロック上で送信してもよく、拡張されたＦＤＭＡ（ＥＦＤＭＡ）を利用して、隣接副搬送波の複数のブロック上で送信してもよい。一般的に、変調シンボルは、周波数ドメインにおいて、ＯＦＤＭで送られ、時間ドメインにおいて、ＳＣ−ＦＤＭＡで送られる。ＣＤＭＡシステムは、拡散スペクトル技術およびコーディングスキームを利用してもよく、ここで、同一の物理チャネルを通して、複数のユーザが多重化されることを可能にするために、それぞれの送信機（すなわち、ユーザ）は、コードを割り当てられる。ＣＤＭＡシステムは、例えば、広帯域コード分割多重アクセス（Ｗ−ＣＤＭＡ）プロトコル、高速パケットアクセス（ＨＳＰＡ）プロトコル、進化高速パケットアクセス（ＨＳＰＡ＋）プロトコル、等を利用してもよい。
【００２０】
ここでの教示は、さまざまなワイヤードまたはワイヤレス装置（例えば、ノード）へと組み込まれてもよい（例えば、さまざまなワイヤードまたはワイヤレス装置の内部に組み込まれてもよく、または、さまざまなワイヤードまたはワイヤレス装置によって実行されてもよい）。いくつかの観点では、ここでの教示にしたがって、実現されるノードは、アクセスポイントまたはアクセス端末を含んでもよい。
【００２１】
アクセスポイント（“ＡＰ”）は、ノードＢ、無線ネットワーク制御装置（“ＲＮＣ”）、ｅノードＢ、基地局制御装置（“ＢＳＣ”）、ベーストランシーバ局（“ＢＴＳ”）、基地局（“ＢＳ”）、トランシーバ機能（“ＴＦ”）、無線ルータ、無線トランシーバ、基礎サービスセット（“ＢＳＳ”）、拡張サービスセット（“ＥＳＳ”）、無線基地局（“ＲＢＳ”）または、他の何らかの用語を含んでもよく、ノードＢ、“ＲＮＣ”、ｅノードＢ、“ＢＳＣ”、“ＢＴＳ”、“ＢＳ”、“ＴＦ”、無線ルータ、無線トランシーバ、“ＢＳＳ”、“ＥＳＳ”、“ＲＢＳ”または、他の何らかの用語として実現されてもよく、あるいは、ノードＢ、“ＲＮＣ”、ｅノードＢ、“ＢＳＣ”、“ＢＴＳ”、“ＢＳ”、“ＴＦ”、無線ルータ、無線トランシーバ、“ＢＳＳ”、“ＥＳＳ”、“ＲＢＳ”または、他の何らかの用語として知られていてもよい。
【００２２】
アクセス端末（“ＡＴ”）は、アクセス端末、加入者局、加入者ユニット、移動局、遠隔局、遠隔端末、ユーザ端末、ユーザエージェント、ユーザデバイス、ユーザ装置、または、他の何らかの用語を含んでもよく、アクセス端末、加入者局、加入者ユニット、移動局、遠隔局、遠隔端末、ユーザ端末、ユーザエージェント、ユーザデバイス、ユーザ装置、または、他の何らかの用語として実現されてもよく、あるいは、アクセス端末、加入者局、加入者ユニット、移動局、遠隔局、遠隔端末、ユーザ端末、ユーザエージェント、ユーザデバイス、ユーザ装置、または、他の何らかの用語として知られていてもよい。いくつかの実現において、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有する手持ちデバイス、または、ワイヤレスモデムに接続されている、他の何らかの適切な処理デバイスを含んでもよい。したがって、ここで教示される１つ以上の観点は、電話機（例えば、セルラ電話機またはスマートフォン）、コンピュータ（例えば、ラップトップ）、ポータブル通信デバイス、ポータブルコンピューティングデバイス（例えば、パーソナルデータアシスタント）、エンターテイメントデバイス（例えば、音楽またはビデオデバイス、または、衛星ラジオ）、グローバルポジショニングシステムデバイス、あるいは、ワイヤレスまたはワイヤード媒体を介して通信するように構成されている、他の何らかの適切なデバイスへと組み込まれてもよい。いくつかの観点では、ノードは、ワイヤレスノードである。このようなワイヤレスノードは、例えば、ワイヤードもしくはワイヤレス通信リンクを介して、ネットワーク（例えば、インターネットまたはセルラネットワークのようなワイドエリアネットワーク）のための接続、または、ネットワークに対する接続を提供してもよい。
【００２３】
図１は、その中で、本開示の実施形態が用いられてもよいワイヤレス通信システム１００の例を図示する。ワイヤレス通信システム１００は、ブロードバンドワイヤレス通信システムであってもよい。ワイヤレス通信システム１００は、いくつかのセル１０２に対する通信を提供してもよく、いくつかのセル１０２のそれぞれは、基地局１０４によってサービスされている。基地局１０４は、ユーザ端末１０６と通信する固定局であってもよい。基地局１０４は、代わりに、アクセスポイント、ノードＢ、または、他の何らかの用語として、呼ばれてもよい。
【００２４】
図１は、システム１００全体にわたって分散しているさまざまなユーザ端末１０６を図示する。ユーザ端末１０６は、固定（例えば、据置型）または、移動体であってもよい。ユーザ端末１０６は、代わりに、遠隔局、アクセス端末、端末、加入者ユニット、移動局、局、ユーザ装置、等として呼ばれてもよい。ユーザ端末１０６は、セルラ電話機、パーソナルデジタルアシスタント（ＰＤＡ）、手持ちデバイス、ワイヤレスモデム、ラップトップコンピュータ、パーソナルコンピュータ等であってもよい。
【００２５】
ワイヤレス通信システム１００中の、基地局１０４とユーザ端末１０６との間の送信のために、さまざまなアルゴリズムおよび方法を使用してもよい。例えば、ＣＤＭＡ技術にしたがうと、基地局１０４とユーザ端末１０６との間で信号が送受信されてもよい。このケースの場合、ワイヤレス通信システム１００を、ＣＤＭＡシステムとして呼んでもよい。
【００２６】
基地局１０４からユーザ端末１０６に対する送信を容易にする通信リンクは、ダウンリンク（ＤＬ）１０８として呼ばれてもよく、ユーザ端末１０６から基地局１０４に対する送信を容易にする通信リンクは、アップリンク（ＵＬ）１１０として呼ばれてもよい。代わりに、ダウンリンク１０８は、フォワードリンクまたはフォワードチャネルとして呼ばれてもよく、アップリンク１１０は、リバースリンクまたはリバースチャネルとして呼ばれてもよい。
【００２７】
セル１０２は、複数のセクタ１１２へと分割されていてもよい。セクタ１１２は、セル１０２内の物理的カバレッジエリアである。ワイヤレス通信システム１００内の基地局１０４は、セル１０２の特定のセクタ１１２内に電力の流れを集中させるアンテナを利用してもよい。このようなアンテナは、方向性アンテナとして呼ばれてもよい。
【００２８】
図２は、ワイヤレス通信システム１００内で用いられてもよい、ワイヤレスデバイス２０２において利用されてもよいさまざまなコンポーネントを図示する。ワイヤレスデバイス２０２は、ここで記述するさまざまな方法を実現するように構成されていてもよいデバイスの例である。ワイヤレスデバイス２０２は、基地局１０４またはユーザ端末１０６であってもよい。
【００２９】
ワイヤレスデバイス２０２は、ワイヤレスデバイス２０２の動作を制御するプロセッサ２０４を含んでもよい。プロセッサ２０４はまた、中央処理ユニット（ＣＰＵ）として呼ばれてもよい。メモリ２０６は、読出専用メモリ（ＲＯＭ）、ランダムアクセスメモリ（ＲＡＭ）の両方を含んでもよく、プロセッサ２０４に対する命令およびデータを提供する。メモリ２０６の一部はまた、不揮発性ランダムアクセスメモリ（ＮＶＲＡＭ）も含んでもよい。プロセッサ２０４は、メモリ２０６内に記憶されたプログラム命令に基づいて、論理的および演算的演算を一般的に実行する。メモリ２０６中の命令は、ここで記述する方法を実現するために実行可能であってもよい。
【００３０】
ワイヤレスデバイス２０２はまた、ワイヤレスデバイス２０２と遠隔ロケーションとの間のデータの送受信を可能にする送信機２１０および受信機２１２を備えていてもよい筐体２０８を具備していてもよい。送信機２１０および受信機２１２は、トランシーバ２１４へと結合されていてもよい。単一のまたは複数の送信アンテナ２１６は、筐体２０８へと取り付けられてもよく、トランシーバ２１４へと電気的に結合されてもよい。ワイヤレスデバイス２０２はまた、（図示していない）複数の送信機、複数の受信機、および、複数のトランシーバを備えていてもよい。
【００３１】
ワイヤレスデバイス２０２はまた、トランシーバ２１４によって受信される信号のレベルを検出および量化する試みにおいて使用されてもよい、信号検出器２１８を備えていてもよい。信号検出器２１８は、総エネルギー、シンボル毎副搬送波毎エネルギー、電力スペクトル深度、および、他の信号のような、信号を検出してもよい。ワイヤレスデバイス２０２はまた、信号を処理する際に使用するための、デジタル信号プロセッサ（ＤＳＰ）２２０を備えていてもよい。
【００３２】
ワイヤレスデバイス２０２のさまざまなコンポーネントは、バスシステム２２２によって、一緒に結合されていてもよく、バスシステム２２２は、データバスに加えて、電力バス、制御信号バス、および、ステータス信号バスを含んでいてもよい。
【００３３】
図３は、ＣＤＭＡを利用するワイヤレス通信システム１００内で使用されてもよい送信機３００の例を図示する。送信機３００の一部は、ワイヤレスデバイス２０２の送信機２１０中で実現されてもよい。送信機３００は、ユーザ端末１０６に対して、ダウンリンク１０８上で、データ３０２を送信するために、基地局１０４中で実現されてもよい。送信機３００はまた、基地局１０４に対して、アップリンク１１０上で、データ３０２を送信するために、ユーザ端末１０６中で実現されてもよい。
【００３４】
送信されることになるデータ３０２は、異なるユーザ端末１０６に専用の複数の信号を表す。複数の信号からのそれぞれの信号は、１組の直交拡散コード３０４からの対応している拡散コードによって、拡散ユニット３０６中で拡散されてもよい。異なるユーザ端末１０６に専用の複数の拡散信号は、合計されて、累積的な信号３０８を生成する。送信されることになる累積的信号３０８を、マッパー３１０に対する入力として提供されるとして示す。マッパー３１０は、コンステレーションポイント上へとデータストリーム３０８をマッピングしてもよい。バイナリ位相シフトキーイング（ＢＰＳＫ）、４相位相シフトキーイング（ＱＰＳＫ）、８相位相シフトキーイング（８ＰＳＫ）、直交振幅変調（ＱＡＭ）、等のようないくつかの変調コンステレーションを使用して、マッピングが行われてもよい。したがって、マッパー３１０は、プリアンブル挿入ユニット３１４への入力を表してもよいシンボルストリーム３１２を出力してもよい。
【００３５】
プリアンブル挿入ユニット３１４は、入力シンボルストリーム３１２の最初において、プリアンブルシーケンスを挿入するように構成されていてもよく、対応するデータストリーム３１６を発生させてもよい。プリアンブルは、受信機において知られていてもよく、時間および周波数同期、チャネル推定、等化、ならびに、チャネルデコーディングのために利用されてもよい。プリアンブル挿入ユニット３１４の出力３１６は、次に、無線周波数（ＲＦ）フロントエンド３１８によって、所望の送信周波数帯域へと上位変換されてもよい。少なくとも１つのアンテナ３２０は、次に、ワイヤレスチャネルを通して、結果としての信号３２２を送信してもよい。
【００３６】
本開示のある観点は、受信機２１２内で実現されてもよい、洗練されたチャネル推定を伴う反復デコーディングアーキテクチャをサポートする。提案する反復的な受信機構造はまた、ハイブリッド自動繰返要求（ＨＡＲＱ）通信モードのケースにおいて、データ再送信の処理のために、受信機２１２において効率的に使用されてもよい。
【００３７】
反復的な受信機構造  
反復的な復調デコーディングアプローチは、ワイヤレス受信機において、そのエラーレート性能を向上させるために適用されてもよい。反復的な受信機アルゴリズムは、反復的な方法で繰り返し実行されてもよい２つのステップを含んでいてもよい。１つのステップにおいて、すべての送信されたビットに対する事後の尤度が抽出されてもよい。例えば、１つ以上のデータストリーム上に、外部ターボデコーダを特定の回数だけ反復させた後に、事後の対数尤度比（ＬＬＲ）情報が取得されてもよい。別のステップにおいて、すべての送信されたビットのＬＬＲが発生されてもよい。
【００３８】
初めの反復において、ＬＬＲは、受信信号から直接発生されてもよい。引き続いての反復に対しては、受信信号とともに、事後のＬＬＲの付帯的な部分を使用して、次の反復に対する新しいＬＬＲを発生させてもよい。
【００３９】
図４は、ワイヤレス通信システム１００内で使用されてもよい反復復調でコーディングアルゴリズムに基づいた例示的受信機構造４００を図示する。提案する反復構造４００は、デマッパー４０６およびターボデコーダ４２０によって共同で実行されるＬＬＲ抽出に基づいている。
【００４０】
ワイヤレスチャネルを通して送信されたシンボルの少なくとも１つのデータストリームは、書込制御装置バッファ（ＷＣＢ）４０１において受信および記憶されてもよい。反復的受信機構造４００は、反復的にインターフェースし得る、デマッパー（すなわち、復調器）４０６、および、ターボデコーダ４２０を備えていてもよい。ターボジョイント対数尤度比（ＪＬＬＲ）復調ユニット４０４は、受信サンプル４０２に基づいて、また、事前のＬＬＲ４０８に基づいて、送信されたビットの事後のＬＬＲ４１０を発生させてもよい。付帯的なＬＬＲ４１２は、事後のＬＬＲ４１０から事前のＬＬＲを減算することによって取得されてもよい。
【００４１】
付帯的なＬＬＲ４１２は、デ・レートマッチング（ＤＲＭ）ユニット４１４によって処理されて、ターボデコーダ４２０に対する入力として、適切なレートの事前のＬＬＲを発生させてもよい。ターボデコーディング（ＴＤ）ユニット４１８は、デコードされたビット４２８のハード値を提供してもよい。性能のエラーレートを改善するために、ターボデコーダ４２０と、デマッパー４０６との間で、外部フィードバックを用いてもよい。ＴＤユニット４１８は、少なくとも１つのデータストリームの送信されたビットのソフト値を表現する事後のＬＬＲ４２２を発生させてもよく、他方、付帯的ＬＬＲ４２４は、事後のＬＬＲ４２２から、事前のＬＬＲ４１６を減算することによって取得されてもよい。
【００４２】
付帯的ＬＬＲ４２４は、レートマッチング（ＲＭ）ユニット４２６によって処理されて、適切なレートの事前のＬＬＲ４０８を取得してもよい。事前のＬＬＲ４０８は、次の反復において、復調器４０６において利用されてもよい。送信されたビットのシステマティック部分に関係するＬＬＲと、送信されたビットのパリティ（すなわち、冗長）部分に関係するＬＬＲとが、付帯的ＬＬＲ４２４から抽出されてもよい。デマッパー４０６と、デコーダ４２０との間の次の反復処理に対して、事前のＬＬＲ４０８を更新するために、システマティックビットに関連する抽出されたＬＬＲを利用してもよい。
【００４３】
提案する反復的なデコーダアーキテクチャ４００は、周知のハード／ソフトシリアル干渉キャンセレーション（ＳＩＣ）アーキテクチャとは異なっていることに留意すべきである。ハード／ソフトＳＩＣアーキテクチャは、複数入力複数出力（ＭＩＭＯ）システムに対してのみ使用されてもよく、他方、提案する反復的なデコーディングアーキテクチャは、ＭＩＭＯシステム、および、単数入力単数出力（ＳＩＳＯ）システムの両方に対して使用されてもよい。
【００４４】
提案する反復的なデコーダアーキテクチャ４００の重要な特徴は、ターボデコーダ４２０からの付帯的な出力４２４が、デマッパー４０６に対する、次の反復用の事前の尤度（ＡＰＰ）入力４０８となってもよいことである。はじめの反復に対して、デマッパー４０６にとって、ＡＰＰ入力が利用可能でないかもしれず、デマッパー４０６のＬＬＲ出力４１０は、付帯的な出力４１２に等しくてもよい。
【００４５】
付帯的な対数尤度比の計算  
図５は、本開示のある観点にしたがって付帯的なＬＬＲを発生させてもよい図４からのデマッパー４０６の例示的なブロック図を図示する。受信信号５００は、白色化され、書込制御装置バッファ（ＷＣＢ）ユニット５０２中に記憶されてもよい。記憶された白色化受信信号５０４は、図４からのＪＬＬＲ復調ユニット４０４への入力を表してもよい。デマッパー４０６中の別の入力は、ＭＩＭＯチャネル係数の行列５０６であってもよく、さらに別の入力は、図４からのターボデコーダ４２０からの事前のＬＬＲ５０８であってもよい。図４からのＪＬＬＲ復調器ユニット４０４は、送信されたコード化ビットの事後のＬＬＲ５１０を発生させてもよい。付帯的ＬＬＲ５１２は、事後のＬＬＲ５１０から、事前のＬＬＲ５０８を減算することによって取得されてもよい。
【００４６】
システムモデルは、以下の数式のように表現されてもよい。
【数１】
2014140187.tif 000003
【００４７】
ここで、ｘは、１つ以上の送信アンテナから送信されたシンボルのベクトルであり、ｙは、白色化信号５０４であり、Ｈは、チャネル係数の行列５０６であり、ｎは、雑音ベクトルである。ＭＩＭＯワイヤレスシステムを仮定してもよく、他方、単数ストリームワイヤレスシステムおよび単数入力単数出力（ＳＩＳＯ）システムが、ＭＩＭＯワイヤレスシステムの特別なケースとして考慮されてもよい。
【００４８】
送信された変調シンボルのベクトルｘからの、ビットｂkに対するＬＬＲ出力５１０は、以下のように記述されてもよい。
【数２】
2014140187.tif 000004
【００４９】
ここで、Ｌ（ｂk）は、復調器の事後のＬＬＲ出力５１０を表し、ＬA（ｂk）は、復調器に対する事前の尤度（ＡＰＰ）ＬＬＲ入力５０８であり、ＬE（ｂk）は、復調器の付帯的なＬＬＲ出力５１２であり、Ｎは、送信されたＭＩＭＯデータストリームの数であり、Ｍは、変調シンボル毎のビットの数である。変数ｕiおよびｖjは、シンボルベクトルｘとシンボルビットマッピング関連とに依拠して、０または１のいずれかであってもよい。さらに、ＬＬＲの定義にしたがうと、事前の尤度は、以下のように記述されてもよい。
【数３】
2014140187.tif 000005
【００５０】
数式（２）から観察されるように、復調器の事後のＬＬＲ出力は、２つの部分、ＡＰＰ情報および付帯的情報から構成されてもよい。数式（２）に数式（３）を結合させた後、ビットｂkに対する付帯的ＬＬＲは、以下のように記述されてもよい。
【数４】
2014140187.tif 000006
【００５１】
ここで、以下の記号は、雑音分散である。
【数５】
2014140187.tif 000007
【００５２】
数式（４）から観察されるように、受信シンボルｙと、送信された仮定ｘとの間の距離を表すそれぞれの項が、ＡＰＰ  ＬＬＲを加算することによってシフトされてもよい。さらに、ＡＰＰ  ＬＬＲの尤度への変換は、ＡＰＰ情報を利用するときには要求されなくてもよい。
【００５３】
最大対数ＭＡＰ（ＭＬＭ）ソリューションは、数式（４）中の合計演算を、以下のように与えられる最大演算によって置き換えることによって取得されてもよい。
【数６】
2014140187.tif 000008
【００５４】
ＨＡＲＱ結合を伴う反復デコーディング  
図６は、本開示のある観点にしたがった、ハイブリッド自動繰返要求（ＨＡＲＱ）結合を伴う例示的反復受信機６００を図示する。受信機６００は、図４からの反復的受信機４００に基づいていてもよいことが観察されることができ、ここで、プレ・ターボデコーディング（プレ・ＴＤ）バッファ６３２、および、ポスト・ＴＤバッファ６３６が組み込まれて、デコーディングが成功しないときのケースにおける、データ再送信を効率的にサポートしてもよい。
【００５５】
最初のデータ送信に対して、構造および処理パスは、図４中に図示した構造４００と同一であってもよい。特に、ターボデコーダ６２０からの付帯的対数尤度比（ＬＬＲ）出力６２４は、次の反復処理用に、デマッパー６０６に対する、また、ターボＪＬＬＲユニット６０４に対する、事前の尤度（ＡＰＰ）入力６０８となってもよい。同様に、デマッパーからの付帯的ＬＬＲ出力６１２は、ターボデコーダ６２０に対する、また、ターボデコーディングユニット６１８に対する、ＡＰＰ入力６１６になってもよい。
【００５６】
第１のデータ送信の、デマッパー６０６とターボデコーダ６２０との間の最後の外部反復において、デ・レートマッチング（ＤＲＭ）ユニット６１４によって処理された後の、デマッパー６０６からの付帯的ＬＬＲ出力６３４は、プレ・ＴＤバッファ６３２中に記憶されてもよい。ターボデコーダ６２０の出力６２８における巡回冗長検査（ＣＲＣ）が、デマッパー６０６とターボデコーダ６２０との間で規定された回数だけ外部反復された後にも失敗するケースにおいて、データの再送信の間に、潜在的なＨＡＲＱ結合のために記憶されたＬＬＲを利用してもよい。また、ターボデコーダ出力ＬＬＲ６２２は、ポスト・ＴＤバッファ６３６に記憶されてもよい。記憶されたＬＬＲ６２２は、ターボデコーダ６２０の出力６２８におけるＣＲＣが、規定された回数だけ第１のデータ送信が外部反復された後にも失敗するケースにおいて、記憶されたＬＬＲは、潜在的なデータの再送信に対するＡＰＰ６０８として、処理および使用されてもよい。
【００５７】
再送信の第１の反復に対して、ポスト・ＴＤバッファ６３６中に記憶された従前の送信からのＬＬＲ６２２は、現在の再送信に対するＡＰＰ６０８として、直接利用されてもよい。他方、デマッパー６０６からの付帯的ＬＬＲ出力６３４は、ＨＡＲＱ結合プロセスの一部として、プレ・ＴＤバッファ６３２中に記憶されたＬＬＲ（すなわち、従前の送信の間に保存されたＬＬＲ）と結合されてもよい。出力ＬＬＲ６１６は、次に、ターボデコーダ６２０へと供給されてもよい。
【００５８】
再送信の次の反復に対して、ターボデコーダ６２０からの付帯的ＬＬＲ６２４は、従前のデータ送信の間に計算および保存された、ポスト・ＴＤ ＬＬＲと最初に結合されてもよい。結合されたＬＬＲ６３８は、レートマッチング（ＲＭ）ユニット６２６によって処理されてもよく、次に、ＡＰＰ６０８として利用されてもよい。デマッパー６０６からの付帯的出力ＬＬＲ６３４は、プレ・ＴＤバッファ６３２に記憶されているＬＬＲと結合されてもよく、次に、再びターボデコーダ６２０へと供給されてもよい。
【００５９】
図７は、本開示のある観点にしたがった、ＨＡＲＱ結合を伴う反復デコーディングのための例示的な動作７００を要約する。７１０において、少なくとも１つのデータストリームを受信してもよい。７２０において、反復的な方法で、受信された少なくとも１つのデータストリームのデマップおよびデコードを実行してもよい。反復プロセスの間に、それぞれのデマップのステップの後に、少なくとも１つのデータストリームの送信されたビットのＬＬＲの第１の組が計算されてもよく、他方、それぞれのデコードのステップの後に、少なくとも１つのデータストリームの送信されたビットのＬＬＲの第２の組が計算されてもよい。
【００６０】
７３０において、デマップが、規定された回数だけ実行された場合、次の、データ再送信のために、ＬＬＲの第１の組を記憶してもよい。７４０において、デコードが、規定された回数だけ実行された場合、次の、データ再送信のために、計算されたＬＬＲの第２の組が記憶されてもよい。７５０において、再送信された、少なくとも１つのデータストリームを受信してもよい。７６０において、記憶された、ＬＬＲの第１の組および第２の組を使用して、再送信され、受信された少なくとも１つのデータストリームのデマップおよびデコードを、反復的な方法で実行してもよい。
【００６１】
図８は、本開示のある観点にしたがった、ＨＡＲＱ結合を伴う反復受信機の、別の例を図示する。１つのデータ送信から別のものへとＬＬＲを記憶するためのメモリを節約する目的で、ＨＡＲＱを考慮するときに、反復受信機構造８００が利用されてもよい。図８から、ターボデコーダ８２０の出力におけるポスト・ＴＤバッファ８３２中に記憶されているＬＬＲ８２２が、図８に、加算器８３６および８３８によって図示されているように、ＡＰＰ結合およびＨＡＲＱ結合の両方のために、使用されてもよいことが観察される。したがって、プレ・ＴＤバッファは、ＨＡＲＱ結合に対しては要求されなくてもよい。さらに、メモリを節約するために、ポスト・ＴＤバッファを利用して、ターボデコーダ８２０からのすべての出力ＬＬＲ８２２ではなく、システマティックＬＬＲだけを保存してもよい。
【００６２】
反復受信機に対する軟判定指向形チャネル推定  
本開示のある観点は、図４からの反復的受信機４００に対する軟判定指向形チャネル推定をサポートする。図９は、本開示のある観点にしたがって、軟判定指向形チャネル推定を伴う例示的な反復受信機９００を図示する。受信機構造９００は、図４からの反復受信機構造４００およびチャネル推定ブロック９０２を含んでもよい。
【００６３】
それぞれのデータ送信に対して、パイロットチャネルを通して送信されたパイロット信号を処理することによって、最初のチャネル推定が取得されてもよい。さらに、受信機４００のデマッパー４０６とターボデコーダ４２０との間のそれぞれの反復において、ターボデコーダ４２０からのレートマッチされた付帯的ＬＬＲ４０８を利用して、初期チャネル推定を改良してもよい。図９に図示したように、ターボＪＬＬＲ４０４によって、次の反復の処理において、受信されたサンプル４０２とともに、改良されたチャネル推定９０４を使用してもよい。
【００６４】
図１０は、本開示のある観点にしたがった、軟判定指向形チャネル推定を伴う反復デコーディングに対する例示的な動作１０００を図示する。１０１０において、ワイヤレスチャネルを通して送信された、パイロット信号および少なくとも１つのデータストリームが受信される。１０２０において、受信されたパイロット信号を使用して、ワイヤレスチャネルの初期推定が計算されてもよい。１０３０において、ワイヤレスチャネルの計算された初期推定を使用して、少なくとも１つのデータストリームのデマップおよびデコードが実行されてもよく、このプロセスの間に、少なくとも１つのデータストリームの送信されたビットの１組のＬＬＲが計算されてもよい。１０４０において、計算された１組のＬＬＲ、および、従前に計算された初期チャネル推定を使用して、ワイヤレスチャネルの推定を更新してもよい。１０５０において、ワイヤレスチャネルの更新された推定を使用して、少なくとも１つのデータストリームのデマップおよびデコードがここで実行されてもよい。規定された回数のデマップおよびデコードの後に、チャネル推定を更新するプロセスが繰り返されてもよい。
【００６５】
軟判定指向形チャネル推定９０２を、以下でより詳細に記述する。Ｍ個の送信アンテナと、Ｎ個の受信アンテナとを有する、ＭＩＭＯ−ＯＦＤＭワイヤレスシステムを考慮する。周波数トーン（すなわち、副搬送波）の総数は、Ｋによって表現される。任意のｋ番目のトーンにおける受信信号ｙkは、以下のように表現されてもよい。
【数７】
2014140187.tif 000009
【００６６】
ここで、以下の数式が成立する。
【数８】
2014140187.tif 000010
【数９】
2014140187.tif 000011
【００６７】
は、ｋ番目のトーンに関係するＭＩＭＯチャネル行列であり、
【数１０】
2014140187.tif 000012
【００６８】
は、ｋ番目のトーンにおける、すべてのＭ個の送信アンテナからの送信シンボルを表し、
【数１１】
2014140187.tif 000013
【００６９】
は、ｋ番目のトーンにおける雑音ベクトルである。
【数１２】
2014140187.tif 000014
【００７０】
とすると、
【数１３】
2014140187.tif 000015
【００７１】
は、ＭＩＭＯチャネル行列Ｈkのｉ番目の行を示す。次に、数式（６）は、以下のように再記述される。
【数１４】
2014140187.tif 000016
【００７２】
ここで、以下のようである。
【数１５】
2014140187.tif 000017
【００７３】
および
【数１６】
2014140187.tif 000018
【００７４】
Ｋ個のトーンのすべてが、行列の形態で一緒にグループ化される場合、数式（７）は、以下のように記述されてもよい。
【数１７】
2014140187.tif 000019
【００７５】
ここで、以下のようである。
【数１８】
2014140187.tif 000020
【００７６】
および
【数１９】
2014140187.tif 000021
【００７７】
Ｋ個のトーンのうちで、それらの一部が、チャネル推定のために使用されるトレーニングシーケンスであってもよく、他方、残りのものは、実際のデータ送信のために使用されてもよいことに留意すべきである。Ｘtは、データを含むＸのすべての行を除去することによって構築される、Ｘのトレーニング部分を表すとすると、ｙtは、受信信号ｙのうちのパイロットトーンを表す。次に、以下ような数式が記述されてもよい。
【数２０】
2014140187.tif 000022
【００７８】
それぞれの送信されたサブフレームに対して、受信されたパイロット信号を使用して、パイロットチャネルを介して、チャネルが最初に推定されてもよい。ターボデコーディングが実行された後、データトーン上の出力軟ＬＬＲ情報を、パイロットベースのチャネル推定を改良するための追加の情報として利用してもよい。
【００７９】
Ｅ｛ｈ｝＝０として仮定できる。最小２乗平均平方誤差（ＬＭＭＳＥ）チャネル推定器は、以下のように表現されてもよい。
【数２１】
2014140187.tif 000023
【００８０】
以下の数式を解くことにより、
【数２２】
2014140187.tif 000024
【００８１】
ＬＭＭＳＥチャネル推定は、以下のように取得されてもよい。
【数２３】
2014140187.tif 000025
【００８２】
ここで、ＲhおよびＲntは、チャネルベクトルｈに対して、および、雑音ベクトルｎtに対して、関連する相関項である。さらに、数式（１８）は、行列反転の補題にしたがうと、以下のように記述されてもよい。
【数２４】
2014140187.tif 000026
【００８３】
数式（１８）における行列反転の次元は、一般的に、数式（１９）における行列反転の次元より小さくてもよいので、数式（１８）は、数式（１９）に比して、計算的利点を有していてもよい。後により詳細に述べるように、アフィン軟判定指向形チャネル推定が採用される場合、数式（１８）において、取得されたパイロットベースのチャネル推定は、以下の反復における最初の平均値としてセットされてもよい。
【００８４】
数式（１８）および数式（１９）の両方から、以下の数式が理解される。
【数２５】
2014140187.tif 000027
【００８５】
したがって、数式（１８）によって規定されるＬＭＭＳＥチャネル推定器の共分散は、以下のように導出されてもよい。
【数２６】
2014140187.tif 000028
【００８６】
最後に、以下の数式が成立する。
【数２７】
2014140187.tif 000029
【００８７】
以下の反復において、数式（２１）によって与えられた共分散行列は、アフィン軟判定指向形チャネル推定が利用されるケースにおいて、最初の共分散行列としてセットされてもよい。
【００８８】
本開示のある観点は、線形軟判定指向形チャネル推定をサポートする。このチャネル推定器は、以下のような形態で記述されてもよい。
【数２８】
2014140187.tif 000030
【００８９】
依然として、反復的チャネル推定プロセスに対して、Ｅ｛ｈ｝＝０を仮定してもよい。ターボデコーダから取得される付帯的ＬＬＲを、ソフトシンボルを構築するのに利用してもよい。任意のｋ番目（ｋ＝１，・・・，Ｋ）のトーン、および、任意のｍ番目（ｍ＝１，・・・，Ｍ）の送信アンテナに対応する、ソフトシンボルの期待値
【数２９】
2014140187.tif 000031
【００９０】
およびソフトシンボルの分散
【数３０】
2014140187.tif 000032
【００９１】
が、容易に取得されてもよく、他方、ガウス近似もまた使用してもよい。
【００９２】
以下の数式を仮定する。
【数３１】
2014140187.tif 000033
【００９３】
ここで、
【数３２】
2014140187.tif 000034
【００９４】
は、Ｘの期待値を表し、
【数３３】
2014140187.tif 000035
【００９５】
は、対角行列である。パイロットトーンに対する、行列の対角項
【数３４】
2014140187.tif 000036
【００９６】
はゼロに等しくてもよく、データトーンに対する、対角項は、以下の数式に等しくてもよい。
【数３５】
2014140187.tif 000037
【００９７】
したがって、以下の数式が成立する。
【数３６】
2014140187.tif 000038
【００９８】
以下の数式を仮定する。
【数３７】
2014140187.tif 000039
【００９９】
ここで、Ｒzは、対角行列である。次に、パイロットトーンに対する、対応する対角項は、ゼロに等しくてもよく、他方、データトーンに対する、対角項は、以下の記号に等しくてもよい。
【数３８】
2014140187.tif 000040
【０１００】
この仮定の下で、以下の数式が得られる。
【数３９】
2014140187.tif 000041
【０１０１】
したがって、線形軟判定指向形チャネル推定は、以下のように導出されてもよい。
【数４０】
2014140187.tif 000042
【０１０２】
ＯＦＤＭシステムに対して、Ｒzの近似が対角であることが正確でないかもしれないことを暗示する、ｈのエレメント（すなわち、チャネルタップ）が強く関連付けられていてもよいことに留意すべきである。数式（２９）によって与えられる推定器のより簡易版のものは、単に、項Ｒzを無視してもよい。
【０１０３】
本開示のある観点は、アフィン軟判定指向形チャネル推定をサポートする。アフィンチャネル推定器は、以下のような数式の形式を有していてもよい。
【数４１】
2014140187.tif 000043
【０１０４】
ここで、アフィンチャネル推定器の平均が、数式（１８）によって与えられる、パイロットベースのＬＭＭＳＥチャネル推定器の平均としてセットされてもよい。システムモデルは、以下のように記述されてもよい。
【数４２】
2014140187.tif 000044
【０１０５】
ここで、
【数４３】
2014140187.tif 000045
【０１０６】
および
【数４４】
2014140187.tif 000046
【０１０７】
アフィン軟判定指向形チャネル推定器は、以下のように表現されてもよい。
【数４５】
2014140187.tif 000047
【０１０８】
ここで、
【数４６】
2014140187.tif 000048
【０１０９】
は、Ｒzと同様に、以下の数式のように規定される。
【数４７】
2014140187.tif 000049
【数４８】
2014140187.tif 000050
【０１１０】
のエレメントが、強く関連付けられていないので、
【数４９】
2014140187.tif 000051
【０１１１】
が、対角行列であるという仮定は、妥当性があることが理解される。数式（３４）によって与えられる、アフィン推定器の簡易版は、数式（３４）からの以下の項
【数５０】
2014140187.tif 000052
【０１１２】
および
【数５１】
2014140187.tif 000053
【０１１３】
のいずれか、あるいは、両方を無視してもよい。また、以下の数式が示されてもよい。
【数５２】
2014140187.tif 000054
【０１１４】
および
【数５３】
2014140187.tif 000055
【０１１５】
数式（３４）において、
【数５４】
2014140187.tif 000056
【０１１６】
の初期値が、数式（２２）によって与えられる値にセットされてもよく、これは、パイロットベースのチャネル推定から取得される。以下の反復において、
【数５５】
2014140187.tif 000057
【０１１７】
の項は、数式（３７）を使用することによって近似されてもよい。
【０１１８】
上に記述した方法のさまざまな動作は、対応している機能を実行することができる何らかの適切な手段によって実行されてもよい。手段は、さまざまなハードウェアおよび／またはソフトウェア構成部品および／またはモジュールを含んでもよく、それらは、これらに制限されるわけではないが、回路、特定用途向け集積回路（ＡＳＩＣ）またはプロセッサを含んでもよい。一般的に、図面において図示した動作があるところでは、これらの動作は、同様の番号付けを有する対応する対の片方であるミーンズプラスファンクションコンポーネントを有していてもよい。例えば、図７および１０に図示したブロック７１０−７６０、および、１０１０−１０５０は、図７Ａおよび１０Ａに図示したブロック７１０Ａ−７６０Ａ、および、１０１０Ａ−１０５０Ａに対応する。
【０１１９】
ここで使用するように、用語“決定する”は、幅広くさまざまなアクションを包含する。例えば、“決定すること”は、計算すること、演算すること、処理すること、導出すること、調査すること、ルックアップすること（例えば、テーブル、データベース、または、別のデータ構造中をルックアップすること）、確認すること、および、類似物を含んでもよい。また、“決定すること”は、受信すること（例えば、情報を受信すること）、アクセスすること（例えば、メモリ中のデータにアクセスすること）、および、類似物を含んでもよい。また、“決定すること”は、解決すること、選択すること、選ぶこと、確立すること、および、類似物を含んでもよい。
【０１２０】
ここで使用するように、項目のリスト“のうちの少なくとも１つ”を指すフレーズは、これらの項目のうちの、単一のメンバーを含む、何らかの組み合わせを指す。例として、 “ａ、ｂ、または、ｃのうちの少なくとも１つ”は、ａ、ｂ、ｃ、ａ−ｂ、ａ−ｃ、ｂ−ｃ、および、ａ−ｂ−ｃをカバーすることを意図している。
【０１２１】
上に記述したさまざまな方法の動作は、さまざまなハードウェアおよび／またはソフトウェア構成部品および／またはモジュールのような、動作を実行することができる何らかの適切な手段によって実行されてもよい。一般的に、図面に図示した何らかの動作は、動作を実行することができる、対応する機能手段によって実行されてもよい。
【０１２２】
本開示に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェア構成部品、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【０１２３】
本開示に関連して述べた方法またはアルゴリズムのステップは、ハードウェアで直接具体化してもよく、プロセッサによって実行されるソフトウェアモジュールで具体化してもよく、または、これら２つの組み合わせで具体化してもよい。ソフトウェアモジュールは、技術的に知られている何らかの形態の記憶媒体に存在していてもよい。使用されてもよい記憶媒体のいくつかの例は、ランダムアクセスメモリ（ＲＡＭ）、読出専用メモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令、または、多くの命令を含んでもよく、異なるプログラムおよび複数の記憶媒体にわたって、いくつかの異なるコードセグメントにわたって分散されていてもよい。記憶媒体は、プロセッサが記憶媒体から情報を読み取り、記憶媒体に情報を書き込むことができるようにプロセッサに結合される。代替実施形態では、記憶媒体はプロセッサと一体化されていてもよい。
【０１２４】
ここで説明した方法は、説明した方法を達成するための１つ以上のステップまたは動作を含んでいてもよい。特許請求の範囲を逸脱することなく、これらの方法のステップおよび／または動作を相互交換してもよい。言い換えると、ステップまたは動作の特定の順序が指定されない限り、特定のステップまたは動作の順序および／または使用は、特許請求の範囲を逸脱することなく、変更してもよい。
【０１２５】
説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令として記憶させてもよい。記憶媒体は、汎用または専用コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、または、他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。
【０１２６】
したがって、特定の観点は、ここで提示した動作を実行するためのコンピュータプログラム製品を含んでもよい。例えば、このようなコンピュータプログラム製品は、その上に、記憶された（および／またはエンコードされた）命令を有しているコンピュータ読取可能媒体を備えてもよく、命令は、ここで記述した動作を実行するための1つ以上のプロセッサによって実行可能である。ある観点では、コンピュータプログラム製品は、パッケージング素材を含んでもよい。
【０１２７】
ソフトウェアまたは命令はまた、送信媒体を通して送信されてもよい。例えば、ソフトウェアが、ウェブサイト、サーバ、または、他のリモート源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。
【０１２８】
さらに、ここで記述した方法と技術を実行する、モジュール、および／または、他の適切な手段は、適切なように、ユーザ端末によって、および／または、基地局によって、ダウンロードされることができ、および／または、異なる方法で取得されることができる。例えば、このようなデバイスは、サーバに結合されて、ここで記述した方法を実行する手段の転送を容易にすることができる。代わりに、ここで記述したさまざまな方法は、ユーザ端末、および／または、基地局が、記憶手段をデバイスに結合または提供する際に、さまざまな方法を取得できるように、記憶媒体（例えば、ＲＡＭ、ＲＯＭ、コンパクトディスク（ＣＤ）、または、フロッピーディスク等のような、物理記憶媒体）を介して提供されることができる。さらに、ここで記述した方法と技術をデバイスに提供するための、他の何らかの適切な技術を利用することができる。
【０１２９】
特許請求の範囲は、上に説明した特定の構成およびコンポーネントに制限されていないことを理解すべきである。特許請求の範囲を逸脱することなく、さまざまな修正、変更、および変形が、上に説明した配置、特徴の動作および詳細、観点、および構成において、行われてもよい。
【０１３０】
ここで提供される技術を、さまざまなアプリケーションにおいて利用してもよい。特定の観点では、ここで提示した技術を、アクセスポイント局、アクセス端末、または、ここで提供した技術を実行する処理ロジックおよびエレメントを有する、他のタイプのワイヤレスデバイスにおいて組み込んでもよい。
【図１】
2014140187.tif 000058
【図２】
2014140187.tif 000059
【図３】
2014140187.tif 000060
【図４】
2014140187.tif 000061
【図５】
2014140187.tif 000062
【図６】
2014140187.tif 000063
【図７】
2014140187.tif 000064
【図７Ａ】
2014140187.tif 000065
【図８】
2014140187.tif 000066
【図９】
2014140187.tif 000067
【図１０】
2014140187.tif 000068
【図１０Ａ】
2014140187.tif 000069
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
ワイヤレスチャネルを通して送信された、パイロット信号、および、少なくとも１つのデータストリームを受信することと、
前記受信されたパイロット信号を使用して、前記ワイヤレスチャネルの初期推定を計算することと、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算することと、
前記計算された１組のＬＬＲ、および、前記計算されたワイヤレスチャネルの初期推定を使用して、前記ワイヤレスチャネルの推定を更新することと、
前記更新されたワイヤレスチャネルの推定を使用して、前記受信されたデータストリームを、デマップ、デ・レートマッチング、および、デコードすることと
を含む方法。
【請求項２】
前記計算された１組のＬＬＲは、前記デコーディングの結果として発生された付帯的ＬＬＲを含む、請求項１記載の方法。
【請求項３】
前記付帯的ＬＬＲをレートマッチングして、前記計算された１組のＬＬＲを取得することをさらに含む、請求項２記載の方法。
【請求項４】
前記ワイヤレスチャネルの推定を更新することは、
前記計算された１組のＬＬＲを使用して、前記受信されたデータストリームに関係するハードシンボルを取得することと、
前記計算された１組のＬＬＲを使用して、前記受信されたデータストリームに関係するソフトシンボルを取得することと、
前記取得されたハードシンボル、および、前記取得されたソフトシンボルの統計を使用して、前記ワイヤレスチャネルの推定を計算することと
を含む、請求項１記載の方法。
【請求項５】
前記ワイヤレスチャネルの推定は、アフィン軟判定指向形チャネル推定アルゴリズムにしたがって更新される、請求項１記載の方法。
【請求項６】
前記ワイヤレスチャネルの推定は、線形軟判定指向形チャネル推定アルゴリズムにしたがって更新される、請求項１記載の方法。
【請求項７】
ワイヤレス通信のための装置において、
ワイヤレスチャネルを通して送信された、パイロット信号、および、少なくとも１つのデータストリームを受信するように構成されている受信機と、
前記受信されたパイロット信号を使用して、前記ワイヤレスチャネルの初期推定を計算するように構成されている推定器と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算するように構成されている、デマッパー、デ・レートマッチング回路、および、デコーダと
を具備し、
前記推定器はまた、前記計算された１組のＬＬＲ、および、前記計算されたワイヤレスチャネルの初期推定を使用して、前記ワイヤレスチャネルの推定を更新するように構成されており、
前記デマッパー、前記デ・レートマッチング回路、および、前記デコーダはまた、前記更新されたワイヤレスチャネルの推定を使用して、前記受信されたデータストリームを、デマップ、デ・レートマッチング、および、デコードするように構成されている装置。
【請求項８】
前記計算された１組のＬＬＲは、前記デコーディングの結果として発生された付帯的ＬＬＲを含む、請求項７記載の装置。
【請求項９】
前記付帯的ＬＬＲをレートマッチングして、前記計算された１組のＬＬＲを取得するように構成されているレートマッチング回路をさらに具備する、請求項８記載の装置。
【請求項１０】
前記ワイヤレスチャネルの推定を更新するように構成されている推定器は、
前記計算された１組のＬＬＲを使用して、前記受信されたデータストリームに関係するハードシンボルを取得するように構成されているプロセッサと、
前記計算された１組のＬＬＲを使用して、前記受信されたデータストリームに関係するソフトシンボルを取得するように構成されている別のプロセッサと、
前記取得されたハードシンボル、および、前記取得されたソフトシンボルの統計を使用して、前記ワイヤレスチャネルの推定を計算するように構成されているコンピュータと
を備える、請求項７記載の装置。
【請求項１１】
前記ワイヤレスチャネルの推定は、アフィン軟判定指向形チャネル推定アルゴリズムにしたがって更新される、請求項７記載の装置。
【請求項１２】
前記ワイヤレスチャネルの推定は、線形軟判定指向形チャネル推定アルゴリズムにしたがって更新される、請求項７記載の装置。
【請求項１３】
ワイヤレス通信のための装置において、
ワイヤレスチャネルを通して送信された、パイロット信号、および、少なくとも１つのデータストリームを受信する手段と、
前記受信されたパイロット信号を使用して、前記ワイヤレスチャネルの初期推定を計算する手段と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算する手段と、
前記計算された１組のＬＬＲ、および、前記計算されたワイヤレスチャネルの初期推定を使用して、前記ワイヤレスチャネルの推定を更新する手段と、
前記更新されたワイヤレスチャネルの推定を使用して、前記受信されたデータストリームを、デマップ、デ・レートマッチング、および、デコードする手段と
を具備する装置。
【請求項１４】
前記計算された１組のＬＬＲは、前記デコーディングの結果として発生された付帯的ＬＬＲを含む、請求項１３記載の装置。
【請求項１５】
前記付帯的ＬＬＲをレートマッチングして、前記計算された１組のＬＬＲを取得する手段をさらに含む、請求項１４記載の装置。
【請求項１６】
前記ワイヤレスチャネルの推定を更新する手段は、
前記計算された１組のＬＬＲを使用して、前記受信されたデータストリームに関係するハードシンボルを取得する手段と、
前記計算された１組のＬＬＲを使用して、前記受信されたデータストリームに関係するソフトシンボルを取得する手段と、
前記取得されたハードシンボル、および、前記取得されたソフトシンボルの統計を使用して、前記ワイヤレスチャネルの推定を計算する手段と
を備える、請求項１３記載の装置。
【請求項１７】
前記ワイヤレスチャネルの推定は、アフィン軟判定指向形チャネル推定アルゴリズムにしたがって更新される、請求項１３記載の装置。
【請求項１８】
前記ワイヤレスチャネルの推定は、線形軟判定指向形チャネル推定アルゴリズムにしたがって更新される、請求項１３記載の装置。
【請求項１９】
ワイヤレス通信のためのコンピュータプログラムにおいて、
ワイヤレスチャネルを通して送信された、パイロット信号、および、少なくとも１つのデータストリームを受信させ、
前記受信されたパイロット信号を使用して、前記ワイヤレスチャネルの初期推定を計算させ、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算させ、
前記計算された１組のＬＬＲ、および、前記計算されたワイヤレスチャネルの初期推定を使用して、前記ワイヤレスチャネルの推定を更新することと、
前記更新されたワイヤレスチャネルの推定を使用して、前記受信されたデータストリームを、デマップ、デ・レートマッチング、および、デコードさせる
ように実行可能である命令を備える、コンピュータプログラム。
【請求項２０】
ワイヤレスノードにおいて、
少なくとも１つのアンテナと、
前記少なくとも１つのアンテナを介して、ワイヤレスチャネルを通して送信された、パイロット信号、および、少なくとも１つのデータストリームを受信するように構成されている受信機と、
前記受信されたパイロット信号を使用して、前記ワイヤレスチャネルの初期推定を計算するように構成されている推定器と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算するように構成されている、デマッパー、デ・レートマッチング回路、および、デコーダと
を具備し、
前記推定器はまた、前記計算された１組のＬＬＲ、および、前記計算されたワイヤレスチャネルの初期推定を使用して、前記ワイヤレスチャネルの推定を更新するように構成されており、
前記デマッパー、デ・レートマッチング回路、および、デコーダはまた、前記更新されたワイヤレスチャネルの推定を使用して、前記受信されたデータストリームを、デマップ、デ・レートマッチング、および、デコードするように構成されているワイヤレスノード。
【手続補正２】
【補正対象書類名】明細書
【補正対象項目名】０１３０
【補正方法】変更
【補正の内容】
【０１３０】
ここで提供される技術を、さまざまなアプリケーションにおいて利用してもよい。特定の観点では、ここで提示した技術を、アクセスポイント局、アクセス端末、または、ここで提供した技術を実行する処理ロジックおよびエレメントを有する、他のタイプのワイヤレスデバイスにおいて組み込んでもよい。  
以下に、本願出願の当初の特許請求の範囲に記載された発明を付記する。
［１］ワイヤレス通信のための方法において、
少なくとも１つのデータストリームを受信することと、
前記受信されたデータストリームを、反復的な方法でデマップおよびデコードして、前記受信されたデータストリームのビットの事後の対数尤度比（ＬＬＲ）デマップすることと、
前記デコーディングが、前記反復的な方法で、規定された回数だけ実行された場合、前記計算された事後のＬＬＲを記憶させることと、
再送信された前記データストリームを受信することと、
前記記憶された１組のＬＬＲを使用して、前記受信された再送信データストリームを、前記反復的な方法でデマップおよびデコードすることと
を含む方法。
［２］前記受信されたデータストリームを、デマップおよびデコードすることは、
前記受信されたデータストリームのデマッピングの結果として、前記受信されたデータストリームのビットの付帯的ＬＬＲを計算することと、
前記受信されたデータストリームのデマッピングが、前記反復的な方法で、規定された回数だけ実行された場合、前記計算された付帯的ＬＬＲをデ・レートマッチングおよび記憶させることと
を含む、上記［１］の方法。
［３］前記受信された再送信データストリームを、デマップおよびデコードすることは、
前記受信された再送信ストリームのデマッピングの結果として、前記再送信データストリームのビットの第１の組の付帯的ＬＬＲを計算することと、
前記計算された第１の組の付帯的ＬＬＲをデ・レートマッチングすることと、
前記デ・レートマッチングされた第１の組の付帯的ＬＬＲ、および、前記記憶された付帯的ＬＬＲを結合させて、前記再送信データストリームのデコーディングに対する、入力ＬＬＲを発生させることと
を含む、上記［２］の方法。
［４］前記受信された再送信データストリームをデマップおよびデコードすることは、
前記発生された入力ＬＬＲを使用して、前記受信された再送信ストリームをデコードして、前記再送信データストリームのビットの第２の組の付帯的ＬＬＲを取得することと、
前記第２の組の付帯的ＬＬＲ、および、前記記憶された事後のＬＬＲを結合して、結合されたＬＬＲを取得し、前記事後のＬＬＲは、前記受信されたデータストリームのデコーディングの結果として計算されることと、
前記結合されたＬＬＲをレートマッチングすることによって、前記再送信データストリームのビットの事前の尤度（ＡＰＰ）ＬＬＲを取得することと、
前記再送信データストリームのデマッピングに対して、前記ＡＰＰ ＬＬＲを使用することと
をさらに含む、上記［３］の方法。
［５］前記記憶された事後のＬＬＲをレートマッチングし、前記事後のＬＬＲは、前記受信されたデータストリームのデコーディングの結果として計算されることと、
前記受信された再送信データストリームのデマッピングおよびデコーディングの間の最初の反復の間にわたって、前記再送信データストリームのデマッピングに対する、前記再送信データストリームのビットの事前の尤度（ＡＰＰ）ＬＬＲとして、前記レートマッチングされたＬＬＲを使用することと
をさらに含む、上記［１］の方法。
［６］前記受信された再送信データストリームをデマップおよびデコードすることは、
前記受信されたデータストリームのデマッピングの結果として、前記再送信データストリームのビットの第１の組の付帯的ＬＬＲを計算することと、
前記記憶された事後のＬＬＲ、および、前記第１の組の付帯的ＬＬＲのデ・レートマッチングされたバージョンを結合して、前記受信された再送信データストリームのデコーディングに対する、入力ＬＬＲを発生させ、前記事後のＬＬＲは、前記受信されたデータストリームのデコーディングの結果として計算されることと、
前記発生された入力ＬＬＲを使用して、前記受信された再送信データストリームをデコードして、前記再送信データストリームのビットの第２の組の付帯的ＬＬＲを取得することと、
前記第２の組の付帯的ＬＬＲ、および、前記記憶された事後のＬＬＲを結合して、結合されたＬＬＲを取得することと、
前記結合されたＬＬＲをレートマッチングすることによって、前記再送信データストリームのビットの事前の尤度（ＡＰＰ）ＬＬＲを計算することと、
前記受信された再送信データストリームのデマッピングに対して、前記計算されたＡＰＰ ＬＬＲを使用することと
を含む、上記［１］の方法。
［７］前記記憶された事後のＬＬＲは、前記受信されたデータストリームのシステマティック部分に関係する、システマティックＬＬＲだけを含む、上記［６］の方法。
［８］ワイヤレス通信のための装置において、
少なくとも１つのデータストリームを受信するように構成されている受信機と、
前記受信されたデータストリームを、反復的な方法でデマップおよびデコードして、前記受信されたデータストリームのビットの事後の対数尤度比（ＬＬＲ）を計算するように構成されているデマッパーおよびデコーダと、
前記デコーディングが、前記反復的な方法で、規定された回数だけ実行された場合、前記計算された事後のＬＬＲを記憶させるように構成されているバッファと
を備え、
前記受信機はまた、再送信された前記データストリームを受信するように構成されており、
前記デマッパーおよび前記デコーダはまた、前記記憶された１組のＬＬＲを使用して、前記受信された再送信データストリームを、前記反復的な方法でデマップおよびデコードするように構成されている装置。
［９］前記受信されたデータストリームを、デマップおよびデコードするように構成されている前記デマッパーおよび前記デコーダは、
前記受信されたデータストリームのデマッピングの結果として、前記受信されたデータストリームのビットの付帯的ＬＬＲを計算するように構成されているコンピュータと、
前記受信されたデータストリームのデマッピングが、前記反復的な方法で、規定された回数だけ実行された場合、前記計算された付帯的ＬＬＲをデ・レートマッチングおよび記憶させるように構成されている回路と
を備える、上記［８］の装置。
［１０］前記受信された再送信データストリームを、デマップおよびデコードするように構成されている前記デマッパーおよび前記デコーダは、
前記受信された再送信データストリームのデマッピングの結果として、前記再送信データストリームのビットの第１の組の付帯的ＬＬＲを計算するように構成されているプロセッサと、
前記計算された第１の組の付帯的ＬＬＲをデ・レートマッチングするように構成されているデ・レートマッチング回路と、
前記デ・レートマッチングされた第１の組の付帯的ＬＬＲ、および、前記記憶された付帯的ＬＬＲを結合させて、前記再送信データストリームのデコーディングに対する、入力ＬＬＲを発生させるように構成されている結合器と
を備える、上記［９］の装置。
［１１］前記受信された再送信データストリームをデマップおよびデコードするように構成されている前記デマッパーおよび前記デコーダは、
前記発生された入力ＬＬＲを使用して、前記受信された再送信データストリームをデコードして、前記再送信データストリームのビットの第２の組の付帯的ＬＬＲを取得するように構成されているデコーダと、
前記第２の組の付帯的ＬＬＲ、および、前記記憶された事後のＬＬＲを結合して、結合されたＬＬＲを取得するように構成されている、別の結合器と、
前記結合されたＬＬＲをレートマッチングすることによって、前記再送信データストリームのビットの事前の尤度（ＡＰＰ）ＬＬＲを取得するように構成されているレートマッチング回路と、
をさらに備え、
前記事後のＬＬＲは、前記受信されたデータストリームのデコーディングの結果として計算され、
前記デマッパーはまた、前記再送信データストリームのデマッピングに対して、前記ＡＰＰ ＬＬＲを使用するように構成されている、上記［１０］の装置。
［１２］前記記憶された事後のＬＬＲをレートマッチングするように構成されているレートマッチング回路をさらに具備し、
前記事後のＬＬＲは、前記受信されたデータストリームのデコーディングの結果として計算され、
前記デマッパーはまた、前記受信された再送信データストリームのデマッピングおよびデコーディングの間の最初の反復の間にわたって、前記再送信データストリームのデマッピングに対する、前記再送信データストリームのビットの事前の尤度（ＡＰＰ）ＬＬＲとして、前記レートマッチングされたＬＬＲを使用するように構成されている、上記［８］の装置。
［１３］前記受信された再送信データストリームをデマップおよびデコードするように構成されている前記デマッパーおよび前記デコーダは、
前記受信された再送信データストリームのデマッピングの結果として、前記再送信データストリームのビットの第１の組の付帯的ＬＬＲを計算するように構成されているコンピュータと、
前記記憶された事後のＬＬＲ、および、前記第１の組の付帯的ＬＬＲのデ・レートマッチングされたバージョンを結合して、前記受信された再送信データストリームのデコーディングに対する、入力ＬＬＲを発生させるように構成されている結合器と、
前記発生された入力ＬＬＲを使用して、前記受信された再送信データストリームをデコードして、前記再送信データストリームのビットの第２の組の付帯的ＬＬＲを取得するように構成されているデコーダと、
前記第２の組の付帯的ＬＬＲ、および、前記記憶された事後のＬＬＲを結合して、結合されたＬＬＲを取得するように構成されている別の結合器と、
前記結合されたＬＬＲをレートマッチングすることによって、前記再送信データストリームのビットの事前の尤度（ＡＰＰ）ＬＬＲを計算するように構成されているレートマッチング回路と、
を備え、
前記事後のＬＬＲは、前記受信されたデータストリームのデコーディングの結果として計算され、
前記デマッパーはまた、前記受信された再送信データストリームのデマッピングに対して、前記計算されたＡＰＰ ＬＬＲを使用するように構成されている、上記［８］の装置。
［１４］前記記憶された事後のＬＬＲは、前記受信されたデータストリームのシステマティック部分に関係する、システマティックＬＬＲだけを含む、上記［１３］の装置。
［１５］ワイヤレス通信のための装置において、
少なくとも１つのデータストリームを受信する手段と、
前記受信されたデータストリームを、反復的な方法でデマップおよびデコードして、前記受信されたデータストリームのビットの事後の対数尤度比（ＬＬＲ）を計算する手段と、
前記デコーディングが、前記反復的な方法で、規定された回数だけ実行された場合、前記計算された事後のＬＬＲを記憶させる手段と、
再送信された前記データストリームを受信する手段と、
前記記憶された１組のＬＬＲを使用して、前記受信された再送信データストリームを、前記反復的な方法でデマップおよびデコードする手段と
を具備する装置。
［１６］前記受信されたデータストリームを、デマップおよびデコードする手段は、
前記受信されたデータストリームのデマッピングの結果として、前記受信されたデータストリームのビットの付帯的ＬＬＲを計算する手段と、
前記受信されたデータストリームのデマッピングが、前記反復的な方法で、規定された回数だけ実行された場合、前記計算された付帯的ＬＬＲをデ・レートマッチングおよび記憶させる手段と
を備える、上記［１５］の装置。
［１７］前記受信された再送信データストリームを、デマップおよびデコードする手段は、
前記受信された再送信データストリームのデマッピングの結果として、前記再送信データストリームのビットの第１の組の付帯的ＬＬＲを計算する手段と、
前記計算された第１の組の付帯的ＬＬＲをデ・レートマッチングする手段と、
前記デ・レートマッチングされた第１の組の付帯的ＬＬＲ、および、前記記憶された付帯的ＬＬＲを結合させて、前記再送信データストリームのデコーディングに対する、入力ＬＬＲを発生させる手段と
を備える、上記［１６］の装置。
［１８］前記受信された再送信データストリームをデマップおよびデコードする手段は、
前記発生された入力ＬＬＲを使用して、前記受信された再送信データストリームをデコードして、前記再送信データストリームのビットの第２の組の付帯的ＬＬＲを取得する手段と、
前記第２の組の付帯的ＬＬＲ、および、前記記憶された事後のＬＬＲを結合して、結合されたＬＬＲを取得する手段と、
前記結合されたＬＬＲをレートマッチングすることによって、前記再送信データストリームのビットの事前の尤度（ＡＰＰ）ＬＬＲを取得する手段と、
前記再送信データストリームのデマッピングに対して、前記ＡＰＰ ＬＬＲを使用する手段と
をさらに備え、
前記事後のＬＬＲは、前記受信されたデータストリームのデコーディングの結果として計算される、上記［１７］の装置。
［１９］前記記憶された事後のＬＬＲをレートマッチングする手段と、
前記受信された再送信データストリームのデマッピングおよびデコーディングの間の最初の反復の間にわたって、前記再送信データストリームのデマッピングに対する、前記再送信データストリームのビットの事前の尤度（ＡＰＰ）ＬＬＲとして、前記レートマッチングされたＬＬＲを使用する手段と
をさらに具備し、
前記事後のＬＬＲは、前記受信されたデータストリームのデコーディングの結果として計算される、上記［１５］の装置。
［２０］前記受信された再送信データストリームをデマップおよびデコードする手段は、
前記受信された再送信データストリームのデマッピングの結果として、前記再送信データストリームのビットの第１の組の付帯的ＬＬＲを計算する手段と、
前記記憶された事後のＬＬＲ、および、前記第１の組の付帯的ＬＬＲのデ・レートマッチングされたバージョンを結合して、前記受信された再送信データストリームのデコーディングに対する、入力ＬＬＲを発生させる手段と、
前記発生された入力ＬＬＲを使用して、前記受信された再送信データストリームをデコードして、前記再送信データストリームのビットの第２の組の付帯的ＬＬＲを取得する手段と、
前記第２の組の付帯的ＬＬＲ、および、前記記憶された事後のＬＬＲを結合して、結合されたＬＬＲを取得する手段と、
前記結合されたＬＬＲをレートマッチングすることによって、前記再送信データストリームのビットの事前の尤度（ＡＰＰ）ＬＬＲを計算する手段と、
前記受信された再送信データストリームのデマッピングに対して、前記計算されたＡＰＰ ＬＬＲを使用する手段と
を備え、
前記事後のＬＬＲは、前記受信されたデータストリームのデコーディングの結果として計算される、上記［１５］の装置。
［２１］前記記憶された事後のＬＬＲは、前記受信されたデータストリームのシステマティック部分に関係する、システマティックＬＬＲだけを含む、上記［２０］の装置。
［２２］コンピュータ読取可能媒体を備えるワイヤレス通信のためのコンピュータプログラム製品において、
前記コンピュータ読取可能媒体は、命令を含み、
前記命令は、
少なくとも１つのデータストリームを受信させ、
前記受信されたデータストリームを、反復的な方法でデマップおよびデコードさせて、前記受信されたデータストリームのビットの事後の対数尤度比（ＬＬＲ）を計算させ、
前記デコーディングが、前記反復的な方法で、規定された回数だけ実行された場合、前記計算された事後のＬＬＲを記憶させ、
再送信された前記データストリームを受信させ、
前記記憶された１組のＬＬＲを使用して、前記受信された再送信データストリームを、前記反復的な方法でデマップおよびデコードさせる
ように実行可能である、コンピュータプログラム製品。
［２３］ワイヤレスノードにおいて、
少なくとも１つのアンテナと、
前記少なくとも１つのアンテナを介して、少なくとも１つのデータストリームを受信するように構成されている受信機と、
前記受信されたデータストリームを、反復的な方法でデマップおよびデコードして、前記受信されたデータストリームのビットの事後の対数尤度比（ＬＬＲ）を計算するように構成されているデマッパーおよびデコーダと、
前記デコーディングが、前記反復的な方法で、規定された回数だけ実行された場合、前記計算された事後のＬＬＲを記憶させるように構成されているバッファと
を具備し、
前記受信機はまた、再送信された前記データストリームを受信するように構成されており、
前記デマッパーおよび前記デコーダはまた、前記記憶された１組のＬＬＲを使用して、前記受信された再送信データストリームを、前記反復的な方法でデマップおよびデコードするように構成されているワイヤレスノード。
［２４］ワイヤレス通信のための方法において、
ワイヤレスチャネルを通して送信された、パイロット信号、および、少なくとも１つのデータストリームを受信することと、
前記受信されたパイロット信号を使用して、前記ワイヤレスチャネルの初期推定を計算することと、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算することと、
前記計算された１組のＬＬＲ、および、前記計算されたワイヤレスチャネルの初期推定を使用して、前記ワイヤレスチャネルの推定を更新することと、
前記更新されたワイヤレスチャネルの推定を使用して、前記受信されたデータストリームを、デマップ、デ・レートマッチング、および、デコードすることと
を含む方法。
［２５］前記計算された１組のＬＬＲは、前記デコーディングの結果として発生された付帯的ＬＬＲを含む、上記［２４］の方法。
［２６］前記付帯的ＬＬＲをレートマッチングして、前記計算された１組のＬＬＲを取得することをさらに含む、上記［２５］の方法。
［２７］前記ワイヤレスチャネルの推定を更新することは、
前記計算された１組のＬＬＲを使用して、前記受信されたデータストリームに関係するハードシンボルを取得することと、
前記計算された１組のＬＬＲを使用して、前記受信されたデータストリームに関係するソフトシンボルを取得することと、
前記取得されたハードシンボル、および、前記取得されたソフトシンボルの統計を使用して、前記ワイヤレスチャネルの推定を計算することと
を含む、上記［２４］の方法。
［２８］前記ワイヤレスチャネルの推定は、アフィン軟判定指向形チャネル推定アルゴリズムにしたがって更新される、上記［２４］の方法。
［２９］前記ワイヤレスチャネルの推定は、線形軟判定指向形チャネル推定アルゴリズムにしたがって更新される、上記［２４］の方法。
［３０］ワイヤレス通信のための装置において、
ワイヤレスチャネルを通して送信された、パイロット信号、および、少なくとも１つのデータストリームを受信するように構成されている受信機と、
前記受信されたパイロット信号を使用して、前記ワイヤレスチャネルの初期推定を計算するように構成されている推定器と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算するように構成されている、デマッパー、デ・レートマッチング回路、および、デコーダと
を具備し、
前記推定器はまた、前記計算された１組のＬＬＲ、および、前記計算されたワイヤレスチャネルの初期推定を使用して、前記ワイヤレスチャネルの推定を更新するように構成されており、
前記デマッパー、前記デ・レートマッチング回路、および、前記デコーダはまた、前記更新されたワイヤレスチャネルの推定を使用して、前記受信されたデータストリームを、デマップ、デ・レートマッチング、および、デコードするように構成されている装置。
［３１］前記計算された１組のＬＬＲは、前記デコーディングの結果として発生された付帯的ＬＬＲを含む、上記［３０］の装置。
［３２］前記付帯的ＬＬＲをレートマッチングして、前記計算された１組のＬＬＲを取得するように構成されているレートマッチング回路をさらに具備する、上記［３１］の装置。
［３３］前記ワイヤレスチャネルの推定を更新するように構成されている推定器は、
前記計算された１組のＬＬＲを使用して、前記受信されたデータストリームに関係するハードシンボルを取得するように構成されているプロセッサと、
前記計算された１組のＬＬＲを使用して、前記受信されたデータストリームに関係するソフトシンボルを取得するように構成されている別のプロセッサと、
前記取得されたハードシンボル、および、前記取得されたソフトシンボルの統計を使用して、前記ワイヤレスチャネルの推定を計算するように構成されているコンピュータと
を備える、上記［３０］の装置。
［３４］前記ワイヤレスチャネルの推定は、アフィン軟判定指向形チャネル推定アルゴリズムにしたがって更新される、上記［３０］の装置。
［３５］前記ワイヤレスチャネルの推定は、線形軟判定指向形チャネル推定アルゴリズムにしたがって更新される、上記［３０］の装置。
［３６］ワイヤレス通信のための装置において、
ワイヤレスチャネルを通して送信された、パイロット信号、および、少なくとも１つのデータストリームを受信する手段と、
前記受信されたパイロット信号を使用して、前記ワイヤレスチャネルの初期推定を計算する手段と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算する手段と、
前記計算された１組のＬＬＲ、および、前記計算されたワイヤレスチャネルの初期推定を使用して、前記ワイヤレスチャネルの推定を更新する手段と、
前記更新されたワイヤレスチャネルの推定を使用して、前記受信されたデータストリームを、デマップ、デ・レートマッチング、および、デコードする手段と
を具備する装置。
［３７］前記計算された１組のＬＬＲは、前記デコーディングの結果として発生された付帯的ＬＬＲを含む、上記［３６］の装置。
［３８］前記付帯的ＬＬＲをレートマッチングして、前記計算された１組のＬＬＲを取得する手段をさらに含む、上記［３７］の装置。
［３９］前記ワイヤレスチャネルの推定を更新する手段は、
前記計算された１組のＬＬＲを使用して、前記受信されたデータストリームに関係するハードシンボルを取得する手段と、
前記計算された１組のＬＬＲを使用して、前記受信されたデータストリームに関係するソフトシンボルを取得する手段と、
前記取得されたハードシンボル、および、前記取得されたソフトシンボルの統計を使用して、前記ワイヤレスチャネルの推定を計算する手段と
を備える、上記［３６］の装置。
［４０］前記ワイヤレスチャネルの推定は、アフィン軟判定指向形チャネル推定アルゴリズムにしたがって更新される、上記［３６］の装置。
［４１］前記ワイヤレスチャネルの推定は、線形軟判定指向形チャネル推定アルゴリズムにしたがって更新される、上記［３６］の装置。
［４２］コンピュータ読取可能媒体を備えるワイヤレス通信のためのコンピュータプログラム製品において、
前記コンピュータ読取可能媒体は、命令を含み、
前記命令は、
ワイヤレスチャネルを通して送信された、パイロット信号、および、少なくとも１つのデータストリームを受信させ、
前記受信されたパイロット信号を使用して、前記ワイヤレスチャネルの初期推定を計算させ、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算させ、
前記計算された１組のＬＬＲ、および、前記計算されたワイヤレスチャネルの初期推定を使用して、前記ワイヤレスチャネルの推定を更新することと、
前記更新されたワイヤレスチャネルの推定を使用して、前記受信されたデータストリームを、デマップ、デ・レートマッチング、および、デコードさせる
ように実行可能である、コンピュータプログラム製品。
［４３］ワイヤレスノードにおいて、
少なくとも１つのアンテナと、
前記少なくとも１つのアンテナを介して、ワイヤレスチャネルを通して送信された、パイロット信号、および、少なくとも１つのデータストリームを受信するように構成されている受信機と、
前記受信されたパイロット信号を使用して、前記ワイヤレスチャネルの初期推定を計算するように構成されている推定器と、
前記計算されたワイヤレスチャネルの初期推定を使用して、前記受信されたデータストリームを、デマップ、デ・レートマッチング、および、デコードして、前記データストリームの送信されたビットの１組の対数尤度比（ＬＬＲ）を計算するように構成されている、デマッパー、デ・レートマッチング回路、および、デコーダと
を具備し、
前記推定器はまた、前記計算された１組のＬＬＲ、および、前記計算されたワイヤレスチャネルの初期推定を使用して、前記ワイヤレスチャネルの推定を更新するように構成されており、
前記デマッパー、デ・レートマッチング回路、および、デコーダはまた、前記更新されたワイヤレスチャネルの推定を使用して、前記受信されたデータストリームを、デマップ、デ・レートマッチング、および、デコードするように構成されているワイヤレスノード。
【外国語明細書】
2014140187000001.pdf